(57)【要約】  ネットワーク間サービス選択のためのシステム、方法およびデバイスが本明細書で説明される。デバイス識別子およびデバイスクラスのうちの1つまたは複数を使用することにより、どのデバイスおよび/もしくはデバイスクラスが所与のネットワークサービスにアクセスすることを許可または拒否されるかを示す、ランダム化メトリックを含む情報をネットワーク接続されたデバイスに送信することが可能である。アクセスを求める装置は、この情報に基づいて選択を変更することができる。アクセスを提供する装置は、この情報に基づいてアクセス要求を実施することができる。一例として、eHRPDとLTEとの間の選択は、デバイスクラスまたは識別子に基づいて負荷分散され得る。
2015512224.tif 000002
【特許請求の範囲】
【請求項１】
ネットワーク通信を制御するための方法であって、
ネットワークにアクセスするための第1の許可セットを含む第1のメッセージを送信するステップと、
ネットワーク特性またはワイヤレスデバイスに関連する情報のうちの少なくとも1つの変更を識別するステップと、
ネットワーク特性またはワイヤレスデバイス情報の前記識別された変更に基づいて、前記ネットワークにアクセスするための第2のアクセス許可セットを生成するステップと、
前記ネットワークにアクセスするための前記第2の許可セットを含む第2のメッセージを送信するステップとを含み、
前記第1の許可セットおよび前記第2の許可セットの各許可が、複数のデバイスクラスのうちの少なくとも1つに関連し、各デバイスクラスに関する利用可能なアクセス技術と、各利用可能なアクセス技術に関するランダム化メトリックとを含む
方法。
【請求項２】
前記ネットワーク特性が、ネットワーク負荷、ネットワーク周波数負荷、前記ネットワークに対する接続の数、前記ネットワークの周波数に対する接続の数、負荷インジケータ、残りのリソースの割合、ユーザの割合に対するアクセス許可、デバイスクラスに対するアクセス許可、デバイスの1つまたは複数の識別子に対するアクセス許可、デバイスの分布に対するアクセス許可、および前記ネットワークとの接続の数のうちの1つまたは複数を含む、請求項1に記載の方法。
【請求項３】
前記ワイヤレスデバイスに関連する前記情報が、前記デバイスに関するクラス、前記デバイスの機能、前記デバイスの位置、アクセス優先順位レベル、サービス品質要件、およびアプリケーション識別子のうちの1つまたは複数を含む、請求項1に記載の方法。
【請求項４】
前記ネットワークに対するアクセス許可が、前記ネットワークにアクセスするための無線アクセス技術を含む、請求項1に記載の方法。
【請求項５】
前記無線アクセス技術が、ロングタームエボリューションベースのアクセス、拡張高速データパケットベースのアクセス、およびcdma2000スペクトル拡散システムアクセスのうちの少なくとも1つを含む、請求項4に記載の方法。
【請求項６】
前記第1の許可セットまたは前記第2の許可セットの許可が特定のワイヤレスデバイスに関する識別子を含む、請求項1に記載の方法。
【請求項７】
前記ワイヤレスデバイスから登録要求を受信するステップであって、前記登録要求が前記ワイヤレスデバイスに関する識別子を含む、受信するステップと、
前記受信された識別子に少なくとも一部基づいて、前記ワイヤレスデバイスに関するデバイスクラスを判断するステップと、
前記ワイヤレスデバイスに関する前記デバイスクラスを含むメッセージを送信するステップと
を含む、請求項1に記載の方法。
【請求項８】
前記ワイヤレスデバイスに関する前記識別子が、IMSI、MEID、およびUATIのうちの1つまたは複数を含む、請求項7に記載の方法。
【請求項９】
前記ワイヤレスデバイスに関する識別子を含むアクセス要求を受信するステップと、
前記ワイヤレスデバイス用の前記ネットワークに対するアクセス許可を判断するステップと
を含む、請求項1に記載の方法。
【請求項１０】
前記ワイヤレスデバイス用の前記ネットワークに対するアクセス許可を前記判断するステップが、前記ワイヤレスデバイスに関する前記識別子または前記ワイヤレスデバイスに関連するデバイスクラスをアクセスが許可されたデバイスを示すリストと比較するステップを含む、請求項9に記載の方法。
【請求項１１】
前記第1のメッセージおよび前記第2のメッセージを前記送信するステップが、ユニキャスティング、マルチキャスティング、およびブロードキャスティングのうちの少なくとも1つを含む、請求項1に記載の方法。
【請求項１２】
前記ランダム化メトリックが、選択確率、選択しきい値、および選択範囲のうちの1つを含む、請求項1に記載の方法。
【請求項１３】
別のネットワークから、前記別のネットワークに関する第3のアクセス許可セットを含むメッセージを受信するステップと、
前記第3のアクセス許可セット内に含まれたデバイスのクラス内に含まれたアクセス要求をワイヤレスデバイスから受信するステップと、
前記メッセージと前記アクセス要求の比較に少なくとも一部基づいて、アクセス応答メッセージを送信するステップと
をさらに含む、請求項1に記載の方法。
【請求項１４】
前記アクセス応答メッセージを前記送信するステップが、前記ワイヤレスデバイスがアクセス許可内に含まれたワイヤレスデバイスのクラスに関連しないとき、第1のネットワークと通信するように前記ワイヤレスデバイスに指示するためのメッセージを前記ワイヤレスデバイスに送信するステップを含み、
前記アクセス応答メッセージを前記送信するステップが、第2のネットワークに対する成功裏のアクセスを示すメッセージを前記ワイヤレスデバイスに送信するステップを含む
請求項13に記載の方法。
【請求項１５】
ネットワーク通信を制御するための装置であって、
ネットワークにアクセスするための第1の許可セットを示す第1のメッセージを送信するように構成された送信機と、
ネットワーク特性またはワイヤレスデバイスに関連する情報のうちの少なくとも1つの変更を識別することと、ネットワーク特性またはワイヤレスデバイス情報の前記識別された変更に基づいて、前記ネットワークにアクセスするための第2のアクセス許可セットを生成することとを行うように構成されたプロセッサと
を備え、
前記送信機がさらに、前記ネットワークにアクセスするための前記第2の許可セットを含む第2のメッセージを送信するように構成され、
前記第1の許可セットおよび前記第2の許可セットの各許可が、複数のデバイスクラスのうちの少なくとも1つに関連し、各デバイスクラスに関する利用可能なアクセス技術と、各利用可能なアクセス技術に関するランダム化メトリックとを含む
装置。
【請求項１６】
前記ネットワーク特性が、ネットワーク負荷、ネットワーク周波数負荷、前記ネットワークに対する接続の数、前記ネットワークの周波数に対する接続の数、負荷インジケータ、残りのリソースの割合、ユーザの割合に対するアクセス許可、デバイスクラスに対するアクセス許可、デバイスの1つまたは複数の識別子に対するアクセス許可、デバイスの分布に対するアクセス許可、および前記ネットワークとの接続の数のうちの1つまたは複数を含む、請求項15に記載の装置。
【請求項１７】
前記ワイヤレスデバイスに関連する前記情報が、前記デバイスに関するクラス、前記デバイスの機能、前記デバイスの位置、アクセス優先順位レベル、サービス品質要件、およびアプリケーション識別子のうちの1つまたは複数を含む、請求項15に記載の装置。
【請求項１８】
前記ネットワークに対するアクセス許可が、前記ネットワークにアクセスするための無線アクセス技術を含む、請求項15に記載の装置。
【請求項１９】
前記無線アクセス技術が、ロングタームエボリューションベースのアクセス、拡張高速データパケットベースのアクセス、およびcdma2000スペクトル拡散システムアクセスのうちの少なくとも1つを含む、請求項18に記載の装置。
【請求項２０】
前記第1の許可セットまたは前記第2の許可セットの許可が特定のワイヤレスデバイスに関する識別子を含む、請求項15に記載の装置。
【請求項２１】
受信機がさらに、前記ワイヤレスデバイスから登録要求を受信することであって、前記登録要求が前記ワイヤレスデバイスに関する識別子を含む、受信することを行うように構成され、
前記プロセッサがさらに、前記受信された識別子に少なくとも一部基づいて、前記ワイヤレスデバイスに関するデバイスクラスを判断するように構成され、
前記送信機がさらに前記ワイヤレスデバイスに関する前記デバイスクラスを含むメッセージを送信するように構成される
請求項15に記載の装置。
【請求項２２】
前記ワイヤレスデバイスに関する前記識別子が、IMSI、MEID、およびUATIのうちの1つまたは複数を含む、請求項21に記載の装置。
【請求項２３】
受信機がさらに、前記ワイヤレスデバイスに関する識別子を含むアクセス要求を受信するように構成され、
前記プロセッサがさらに、前記ワイヤレスデバイス用の前記ネットワークに対するアクセス許可を判断するように構成される
請求項15に記載の装置。
【請求項２４】
前記ワイヤレスデバイス用の前記ネットワークに対するアクセス許可を前記判断することが、前記ワイヤレスデバイスに関する前記識別子または前記ワイヤレスデバイスに関連するデバイスクラスをアクセスが許可されたデバイスを示すリストと比較することを含む、請求項23に記載の装置。
【請求項２５】
前記送信機が、ユニキャスティング、マルチキャスティング、およびブロードキャスティングのうちの少なくとも1つを介して、前記第1のメッセージと前記第2のメッセージとを送信するように構成される、請求項15に記載の装置。
【請求項２６】
前記ランダム化メトリックが、選択確率、選択しきい値、および選択範囲のうちの1つを含む、請求項15に記載の装置。
【請求項２７】
受信機が、別のネットワークから、前記別のネットワークに関する第3のアクセス許可セットを含むメッセージを受信することと、前記第3のアクセス許可セット内に含まれた前記デバイスクラス内に含まれたアクセス要求をワイヤレスデバイスから受信することとを行うように構成され、
前記送信機が、前記メッセージと前記アクセス要求の比較に少なくとも一部基づいて、アクセス応答メッセージを送信するようにさらに構成される
請求項15に記載の装置。
【請求項２８】
前記送信機が、前記ワイヤレスデバイスがアクセス許可内に含まれたワイヤレスデバイスのクラスに関連しないとき、第1のネットワークと通信するように前記ワイヤレスデバイスに指示するためのメッセージを前記ワイヤレスデバイスに送信するように構成され、
前記アクセス応答メッセージを前記送信することが、第2のネットワークに対する成功裏のアクセスを示すメッセージを前記ワイヤレスデバイスに送信することを含む
請求項27に記載の装置。
【請求項２９】
装置のプロセッサによって実行可能な命令を含むコンピュータ可読記憶媒体であって、前記命令によって、前記装置は、
ネットワークにアクセスするための第1の許可セットを含む第1のメッセージを送信することと、
ネットワーク特性またはワイヤレスデバイスに関連する情報のうちの少なくとも1つの変更を識別することと、
ネットワーク特性またはワイヤレスデバイス情報の前記識別された変更に基づいて、前記ネットワークにアクセスするための第2のアクセス許可セットを生成することと、
前記ネットワークにアクセスするための前記第2の許可セットを含む第2のメッセージを送信することとを行い、
前記第1の許可セットおよび前記第2の許可セットの各許可が、複数のデバイスクラスのうちの少なくとも1つに関連し、各デバイスクラスに関する利用可能なアクセス技術と、各利用可能なアクセス技術に関するランダム化メトリックとを含む
装置。
【請求項３０】
ネットワーク通信を制御するための装置であって、
ネットワークにアクセスするための第1の許可セットを含む第1のメッセージを送信するための手段と、
ネットワーク特性またはワイヤレスデバイスに関連する情報のうちの少なくとも1つの変更を識別するための手段と、
ネットワーク特性またはワイヤレスデバイス情報の前記識別された変更に基づいて、前記ネットワークにアクセスするための第2のアクセス許可セットを生成するための手段と
を備え、
前記送信するための手段がさらに、前記ネットワークにアクセスするための前記第2の許可セットを含む第2のメッセージを送信するように構成され、
前記第1の許可セットおよび前記第2の許可セットの各許可が、複数のデバイスクラスのうちの少なくとも1つに関連し、各デバイスクラスに関する利用可能なアクセス技術と、各利用可能なアクセス技術に関するランダム化メトリックとを含む
装置。
【請求項３１】
通信ネットワークアクセスを選択するための方法であって、
ワイヤレスデバイスにおいて、前記ワイヤレスデバイスのクラスと識別子とを記憶するステップと、
ネットワークにアクセスするための第1の許可セットを含む第1のメッセージを受信するステップであって、前記第1の許可セットの各許可が、複数のデバイスクラスのうちの少なくとも1つに関連し、各デバイスクラスに関する利用可能なアクセス技術と、各利用可能なアクセス技術に関するランダム化メトリックとを含む、受信するステップと、
前記記憶されたクラスおよび識別子のうちの少なくとも1つに一部基づいて、前記第1の許可セットの許可を識別するステップと、
各デバイスクラスに関する前記利用可能なアクセス技術と、各利用可能なアクセス技術に関する前記ランダム化メトリックとに少なくとも一部基づいて、前記識別された許可に関連するアクセス技術を選択するステップと
を含む方法。
【請求項３２】
前記ネットワークに関する第2のアクセス許可セットを含む第2のメッセージを受信するステップを含み、アクセス技術を前記選択するステップが、前記受信された第2のメッセージに少なくとも一部基づく、請求項31に記載の方法。
【請求項３３】
前記アクセス技術が、ロングタームエボリューションベースのアクセス、拡張高速データパケットベースのアクセス、およびcdma2000スペクトル拡散システムアクセスのうちの少なくとも1つを含む、請求項31に記載の方法。
【請求項３４】
前記ワイヤレスデバイスに関する前記デバイスクラスおよび前記識別子のうちの少なくとも1つが、アクセス優先順位レベルに関連し、前記アクセス技術を前記選択するステップがさらに、前記アクセス優先順位レベルに基づく、請求項31に記載の方法。
【請求項３５】
前記デバイスクラスを前記記憶するステップが、
前記デバイスクラスを含むメッセージを受信するステップと、
前記デバイスクラスを記憶するステップと
を含む、請求項31に記載の方法。
【請求項３６】
前記ワイヤレスデバイスに関する前記識別子が、IMSI、MEID、およびUATIのうちの1つまたは複数を含む、請求項31に記載の方法。
【請求項３７】
前記ランダム化メトリックが、選択確率、選択しきい値、および選択範囲のうちの1つを含む、請求項31に記載の方法。
【請求項３８】
前記アクセス技術を前記選択するステップが、
ランダム値を生成するステップと、
前記ランダム値と前記ランダム化メトリックの比較に基づいて、前記アクセス技術を選択するステップと
を含む、請求項31に記載の方法。
【請求項３９】
通信ネットワークを選択するための装置であって、
前記装置に関するクラスと識別子とを記憶するメモリと、
ネットワークにアクセスするための第1の許可セットを含む第1のメッセージを受信することであって、前記第1の許可セットの各許可が、複数のデバイスクラスのうちの少なくとも1つに関連し、各デバイスクラスに関する利用可能なアクセス技術と、各利用可能なアクセス技術に関するランダム化メトリックとを含む、受信することを行うように構成された受信機と、
前記記憶されたデバイスクラスおよび前記記憶された識別子のうちの少なくとも1つに一部基づいて、前記第1の許可セットの許可を識別することと、各デバイスクラスに関する利用可能なアクセス技術と、各利用可能なアクセス技術に関するランダム化メトリックとに少なくとも一部基づいて、前記識別された許可に関連するアクセス技術を選択することとを行うように構成されたサービス選択回路と
を備える装置。
【請求項４０】
前記受信機が、
前記識別子および前記クラスのうちの少なくとも1つを受信することと、
前記識別子および前記クラスのうちの前記受信された少なくとも1つを前記メモリ内に記憶することと
を行うように構成される、請求項39に記載の装置。
【請求項４１】
前記識別子が、IMSI、MEID、およびUATIのうちの1つまたは複数を含む、請求項39に記載の装置。
【請求項４２】
前記第1のメッセージが、前記装置に関するデバイスクラスと識別子とを含む、請求項39に記載の装置。
【請求項４３】
前記装置に関する前記識別子が、IMSI、MEID、およびUATIのうちの1つまたは複数を含む、請求項42に記載の装置。
【請求項４４】
前記受信機がさらに、前記ネットワークに関する第2のアクセス許可セットを含む第2のメッセージを受信するように構成され、アクセス技術を前記選択することが、前記受信された第2のメッセージに少なくとも一部基づく、請求項39に記載の装置。
【請求項４５】
前記ネットワークに対するアクセス許可が、前記ネットワークにアクセスするための無線アクセス技術を含む、請求項39に記載の装置。
【請求項４６】
前記無線アクセス技術が、ロングタームエボリューションベースのアクセス、拡張高速データパケットベースのアクセス、およびcdma2000スペクトル拡散システムアクセスのうちの少なくとも1つを含む、請求項45に記載の装置。
【請求項４７】
デバイスクラスおよび識別子のうちの少なくとも1つが、アクセス優先順位レベルに関連し、アクセス選択回路がさらに、前記アクセス優先順位レベルに基づいて前記アクセス技術を選択するように構成される、請求項39に記載の装置。
【請求項４８】
前記ランダム化メトリックが、選択確率、選択しきい値、および選択範囲のうちの1つを含む、請求項39に記載の装置。
【請求項４９】
ランダム化値生成器をさらに含み、前記サービス選択回路が、前記ランダム化値生成器によって生成された値と前記ランダム化メトリックの比較に基づいて、前記アクセス技術を選択するように構成される、請求項39に記載の装置。
【請求項５０】
装置のプロセッサによって実行可能な命令を含むコンピュータ可読記憶媒体であって、前記命令によって、前記装置は、
前記装置に関するクラスと識別子とを記憶することと、
ネットワークにアクセスするための第1の許可セットを含む第1のメッセージを受信することであって、前記第1の許可セットの各許可が、複数のデバイスクラスのうちの少なくとも1つに関連し、各デバイスクラスに関する利用可能なアクセス技術と、各利用可能なアクセス技術に関するランダム化メトリックとを含む、受信することと、
前記記憶されたクラスおよび前記記憶された識別子のうちの少なくとも1つに一部基づいて、前記第1の許可セットの許可を識別することと、
各デバイスクラスに関する前記利用可能なアクセス技術と、各利用可能なアクセス技術に関する前記ランダム化メトリックとに少なくとも一部基づいて、前記識別された許可に関連するアクセス技術を選択することと
を行うコンピュータ可読記憶媒体。
【請求項５１】
通信ネットワークアクセスを選択するための装置であって、
前記装置に関するクラスと識別子とを記憶するための手段と、
ネットワークにアクセスするための第1の許可セットを含む第1のメッセージを受信するための手段であって、前記第1の許可セットの各許可が、複数のデバイスクラスのうちの少なくとも1つに関連し、各デバイスクラスに関する利用可能なアクセス技術と、各利用可能なアクセス技術に関するランダム化メトリックとを含む、受信するための手段と、
前記記憶されたデバイスクラスおよび前記記憶された識別子のうちの少なくとも1つに一部基づいて、前記第1の許可セットの許可を識別するための手段と、
各デバイスクラスに関する前記利用可能なアクセス技術と、各利用可能なアクセス技術に関する前記ランダム化メトリックとに少なくとも一部基づいて、前記識別された許可に関連するアクセス技術を選択するための手段と
を備える装置。
【発明の詳細な説明】
【技術分野】
【０００１】
関連出願の相互参照
本出願は、参照によってその内容の全体が本明細書に組み込まれている、2012年3月2日に出願した米国特許仮出願第61/606,293号の、米国特許法第119条(e)項に基づく優先権の利益を主張する。
【０００２】
本出願は一般にワイヤレス通信に関し、より詳細には、ネットワーク間サービス選択のためのシステム、方法、およびデバイスに関する。
【背景技術】
【０００３】
音声およびデータなどの様々な種類の通信コンテンツを提供するために、無線通信システムが広く展開されている。典型的なワイヤレス通信システムは、利用可能なシステムリソース(たとえば、帯域幅、送信電力)を共有することによって複数のユーザとの通信をサポートすることができる多元接続システムである可能性がある。そのような多元接続システムの例には、符号分割多元接続(CDMA)システム、時分割多元接続(TDMA)システム、周波数分割多元接続(FDMA)システム、直交周波数分割多元接続(OFDMA)システムなどが含まれ得る。加えて、システムは、第3世代パートナーシッププロジェクト(3GPP)、3GPP2、3GPPロングタームエボリューション(LTE)、LTEアドバンストなどのような仕様書に準拠し得る。
【０００４】
一般に、ワイヤレス多元接続通信システムは、複数のモバイルデバイス向けの通信を同時にサポートすることができる。各モバイルデバイスは、順方向リンクおよび逆方向リンク上の伝送を介して、1つまたは複数の基地局と通信することができる。順方向リンク(すなわち、ダウンリンク)は、基地局からモバイルデバイスまでの通信リンクを指し、逆方向リンク(すなわち、アップリンク)は、モバイルデバイスから基地局までの通信リンクを指す。
【０００５】
高レートのマルチメディアデータサービスの需要が急速に高まっているので、性能を高めた効率的で堅牢な通信システムを実装する努力がなされてきた。たとえば、近年、ユーザは、固定回線通信をモバイル通信で置き換え始めており、高い音声品質、信頼性の高いサービス、および低価格をますます求めるようになった。
【０００６】
高まる需要に応えるために、ワイヤレス通信システムのコアネットワークの進化が、無線インターフェースの進化に続いて起こった。たとえば、3GPPによって導かれたシステムアーキテクチャエボリューション(SAE:System Architecture Evolution)は、モバイル通信用グローバルシステム(GSM(登録商標):Global System for Mobile communications)/汎用パケット無線サービス(GPRS:General Packet Radio Service)コアネットワークを発展させることを目的とする。その結果できあがった進化型パケットコア(EPC)は、オペレータが複数の無線アクセス技術を用いる1つの共通のパケットに基づくコアネットワークを展開し、利用することを可能にするインターネットプロトコル(IP)に基づく多元接続コアネットワークである。EPCは、モバイルデバイスに最適化されたモビリティを提供し、異なる無線アクセス技術の間の(たとえば、LTEと高速パケットデータ(HRPD)との間の)効率的なハンドオーバを可能にする。加えて、標準化されたローミングインターフェースが、オペレータが様々なアクセス技術にまたがって加入者にサービスを提供することを可能にする。
【発明の概要】
【発明が解決しようとする課題】
【０００７】
オペレータネットワークにアクセスすることができるデバイスの数およびタイプが増えるにつれて、全体的なネットワーク性能を改善するために、ネットワークオペレータがネットワークサービスの使用の管理を改善するのを可能にする必要が存在する。
【課題を解決するための手段】
【０００８】
添付の特許請求の範囲内のシステム、方法、およびデバイスの様々な実装形態は、各々、いくつかの態様を有し、そのどの態様も単独で、本明細書で説明する望ましい属性を担うことはない。添付の特許請求の範囲を限定することなく、本明細書においていくつかの顕著な特徴について説明する。他の特徴、態様、および利点は、説明、図面、および特許請求の範囲から明らかになるであろう。
【０００９】
一態様では、ネットワーク通信を制御するための方法が提供される。この方法は、ネットワークにアクセスするための第1の許可セットを含む第1のメッセージを送信するステップを含む。この方法はさらに、ネットワーク特性またはワイヤレスデバイスに関連する情報のうちの少なくとも1つの変更を識別するステップを含む。この方法はまた、ネットワーク特性またはワイヤレスデバイス情報の識別された変更に基づいて、ネットワークにアクセスするための第2のアクセス許可セットを生成するステップを含む。この方法はまた、ネットワークにアクセスするための第2の許可セットを含む第2のメッセージを送信するステップであって、第1の許可セットおよび第2の許可セットの各許可が、複数のデバイスクラスのうちの少なくとも1つに関連する、送信するステップを含む。各許可はまた、各デバイスクラスに関する利用可能なアクセス技術と、各利用可能なアクセス技術に関するランダム化メトリック(randomization metric)とを含む。
【００１０】
別の態様では、ネットワーク通信を制御するための装置が提供される。装置は、ネットワークにアクセスするための第1の許可セットを示す第1のメッセージを送信するように構成された送信機を含む。装置はまた、ネットワーク特性またはワイヤレスデバイスに関連する情報のうちの少なくとも1つの変更を識別することと、ネットワーク特性またはワイヤレスデバイス情報の識別された変更に基づいて、ネットワークにアクセスするための第2のアクセス許可セットを生成することとを行うように構成されたプロセッサを含む。送信機はさらに、ネットワークにアクセスするための第2の許可セットを含む第2のメッセージを送信するように構成される。第1の許可セットおよび第2の許可セットの各許可は、複数のデバイスクラスのうちの少なくとも1つに関連する。各許可はまた、各デバイスクラスに関する利用可能なアクセス技術と、各利用可能なアクセス技術に関するランダム化メトリックとを含む。
【００１１】
さらなる態様では、装置のプロセッサによって実行可能な命令を含むコンピュータ可読記憶媒体が提供される。命令によって、装置は、ネットワークにアクセスするための第1の許可セットを示す第1のメッセージを送信する。命令によってさらに、装置は、ネットワーク特性またはワイヤレスデバイスに関連する情報のうちの少なくとも1つの変更を識別する。命令によってさらに、装置は、ネットワーク特性またはワイヤレスデバイス情報の識別された変更に基づいて、ネットワークにアクセスするための第2のアクセス許可セットを生成する。命令によってさらに、装置は、ネットワークにアクセスするための第2の許可セットを含む第2のメッセージを送信する。第1の許可セットおよび第2の許可セットの各許可は、複数のデバイスクラスのうちの少なくとも1つに関連する。各許可はまた、各デバイスクラスに関する利用可能なアクセス技術と、各利用可能なアクセス技術に関するランダム化メトリックとを含む。
【００１２】
さらなる態様では、ワイヤレスネットワーク内で通信するための装置が提供される。装置は、ネットワークにアクセスするための第1の許可セットを含む第1のメッセージを送信するための手段を含む。装置は、ネットワーク特性またはワイヤレスデバイスに関連する情報のうちの少なくとも1つの変更を識別するための手段を含む。装置は、ネットワーク特性またはワイヤレスデバイス情報の識別された変更に基づいて、ネットワークにアクセスするための第2のアクセス許可セットを生成するための手段を含む。送信するための手段はさらに、ネットワークにアクセスするための第2の許可セットを含む第2のメッセージを送信するように構成される。第1の許可セットおよび第2の許可セットの各許可は、複数のデバイスクラスのうちの少なくとも1つに関連する。各許可はまた、各デバイスクラスに関する利用可能なアクセス技術と、各利用可能なアクセス技術に関するランダム化メトリックとを含む。
【００１３】
上述の態様のうちのいくつかでは、ネットワーク特性は、ネットワーク負荷、ネットワーク周波数負荷、ネットワークに対する接続の数、ネットワークの周波数に対する接続の数、負荷インジケータ、残りのリソースの割合、ユーザの割合に対するアクセス許可、デバイスクラスに対するアクセス許可、デバイスの1つまたは複数の識別子に対するアクセス許可、デバイスの分布に対するアクセス許可、およびネットワークとの接続の数のうちの1つまたは複数を含むことが可能である。ワイヤレスデバイスに関連する情報は、デバイスに関するクラス、デバイスの機能、デバイスの位置、アクセス優先順位レベル、サービス品質要件、およびアプリケーション識別子のうちの1つまたは複数を含むことが可能である。いくつかの実装形態では、ネットワークに対するアクセス許可は、ネットワークにアクセスするための無線アクセス技術を含むことが可能である。さらに、無線アクセス技術は、ロングタームエボリューションベースのアクセス、拡張高速データパケットベースのアクセス、およびcdma2000スペクトル拡散システムアクセスのうちの少なくとも1つを含むことが可能である。いくつかの実施形態では、第1の許可セットまたは第2の許可セットの許可は、特定のワイヤレスデバイスに関する識別子を含むことが可能である。上記の態様で説明されたメッセージは、ユニキャストメッセージ、マルチキャストメッセージ、またはブロードキャストメッセージであってよい。
【００１４】
いくつかの実装形態では、この方法、またはこの方法の態様を実施する装置は、ワイヤレスデバイスに関する識別子を含む登録要求をワイヤレスデバイスから受信するステップと、受信された識別子に少なくとも一部基づいて、ワイヤレスデバイスに関するデバイスクラスを判断するステップと、ワイヤレスデバイスに関するデバイスクラスを含むメッセージを送信するステップとを含むことが可能であるか、またはワイヤレスデバイスに関する識別子を含む登録要求をワイヤレスデバイスから受信することと、受信された識別子に少なくとも一部基づいて、ワイヤレスデバイスに関するデバイスクラスを判断することと、ワイヤレスデバイスに関するデバイスクラスを含むメッセージを送信することとを行うように構成可能である。ワイヤレスデバイスまたは特定のワイヤレスデバイスに関する識別子は、IMSI、MEID、およびUATIのうちの1つまたは複数を含むことが可能である。
【００１５】
上で説明された態様のいくつかの所望の構成では、この方法、またはこの方法の態様を実施する装置は、ワイヤレスデバイスに関するアクセス要求を受信するステップを含むことが可能であるか、またはワイヤレスデバイスに関するアクセス要求を受信するように構成可能である。ワイヤレスデバイス用のネットワークに対するアクセス許可を判断するステップは、ワイヤレスデバイスに関する識別子またはワイヤレスデバイスに関連するデバイスクラスをアクセスが許可されたデバイスを示すリストと比較するステップを含むことが可能である。
【００１６】
ランダム化メトリックは、選択確率、選択しきい値、および選択範囲のうちの少なくとも1つを含むことが可能である。この方法、またはこの方法の態様を実施する装置は、別のネットワークから、その別のネットワークに対する第3のアクセス許可セットを含むメッセージを受信するステップと、第3のアクセス許可セット内に含まれたデバイスクラス内に含まれたワイヤレスデバイスからアクセス要求を受信するステップと、メッセージとアクセス要求の比較に少なくとも一部基づいて、アクセス応答メッセージを送信するステップとを含むことが可能であるか、または、別のネットワークから、その別のネットワークに対する第3のアクセス許可セットを含むメッセージを受信することと、第3のアクセス許可セット内に含まれたデバイスのクラス内に含まれたワイヤレスデバイスからアクセス要求を受信することと、メッセージとアクセス要求の比較に少なくとも一部基づいて、アクセス応答メッセージを送信することとを行うように構成可能である。いくつかの実装形態では、アクセス応答メッセージを送信するステップは、第1のワイヤレスデバイスがアクセス許可内に含まれたワイヤレスデバイスのクラスに関連しないとき、第1のネットワークと通信するようにワイヤレスデバイスに指示するためのメッセージをワイヤレスデバイスに送信するステップを含むことが可能である。さらに、アクセス応答メッセージを送信するステップは、第2のネットワークに対する成功裏のアクセスを示すメッセージをワイヤレスデバイスに送信するステップを含むことが可能である。
【００１７】
別の態様では、通信ネットワークアクセスを選択するための方法が提供される。この方法は、ワイヤレスデバイスにおいて、そのワイヤレスデバイスのクラスと識別子とを記憶するステップを含む。この方法はさらに、ネットワークにアクセスするための第1の許可セットを含む第1のメッセージを受信するステップであって、第1の許可セットの各許可が、複数のデバイスクラスのうちの少なくとも1つに関連する、受信するステップを含む。各許可はまた、各デバイスクラスに関する利用可能なアクセス技術と、各利用可能なアクセス技術に関するランダム化メトリックとを含む。この方法はさらに、記憶されたデバイスクラスおよび記憶された識別子のうちの少なくとも1つに一部基づいて、第1の許可セットの許可を識別するステップをさらに含む。この方法はまた、各デバイスクラスに関する利用可能なアクセス技術と、各利用可能なアクセス技術に関するランダム化メトリックとに少なくとも一部基づいて、識別された許可に関連するアクセス技術を選択するステップを含む。
【００１８】
別の態様では、通信ネットワークを選択するための装置が提供される。装置は、装置に関するクラスと識別子とを記憶するメモリを含む。装置は、ネットワークにアクセスするための第1の許可セットを含む第1のメッセージを受信することであって、第1の許可セットの各許可が、複数のデバイスクラスのうちの少なくとも1つに関連する、受信することを行うように構成された受信機を含む。各許可はまた、各デバイスクラスに関する利用可能なアクセス技術と、各利用可能なアクセス技術に関するランダム化メトリックとを含む。装置はまた、記憶されたデバイスクラスおよび記憶された識別子のうちの少なくとも1つに一部基づいて、第1の許可セットの許可を識別することと、各デバイスクラスに関する利用可能なアクセス技術と、各利用可能なアクセス技術に関するランダム化メトリックとに少なくとも一部基づいて、識別された許可に関連するアクセス技術を選択することとを行うように構成されたサービス選択回路を含む。
【００１９】
さらなる態様では、装置のプロセッサによって実行可能な命令を含むコンピュータ可読記憶媒体が提供される。命令によって、装置は、装置に関するクラスと識別子とを記憶する。命令によってさらに、装置は、ネットワークにアクセスするための第1の許可セットを含む第1のメッセージを受信し、第1の許可セットの各許可は、複数のデバイスクラスのうちの少なくとも1つに関連する。各許可はまた、各デバイスクラスに関する利用可能なアクセス技術と、各利用可能なアクセス技術に関するランダム化メトリックとを含む。命令によってまた、装置は、記憶されたデバイスクラスおよび記憶された識別子のうちの少なくとも1つに一部基づいて、第1の許可セットの許可を識別する。命令によってさらに、装置は、各デバイスクラスに関する利用可能なアクセス技術と、各利用可能なアクセス技術に関するランダム化メトリックとに少なくとも一部基づいて、識別された許可に関連するアクセス技術を選択する。
【００２０】
さらに別の態様では、通信ネットワークアクセスを選択するためのさらなる装置が提供される。装置は、装置に関するクラスと識別子とを記憶するための手段を含む。装置は、ネットワークにアクセスするための第1の許可セットを含む第1のメッセージを受信するための手段であって、第1のセットの各許可が、複数のデバイスクラスのうちの少なくとも1つに関連する、受信するための手段を含む。各許可はまた、各デバイスクラスに関する利用可能なアクセス技術と、各利用可能なアクセス技術に関するランダム化メトリックとを含む。装置は、記憶されたデバイスクラスおよび記憶された識別子のうちの少なくとも1つに一部基づいて、第1の許可セットの許可を識別するための手段を含む。装置は、各デバイスクラスに関する利用可能なアクセス技術と、各利用可能なアクセス技術に関するランダム化メトリックとに少なくとも一部基づいて、識別された許可に関連するアクセス技術を選択するための手段を含む。
【００２１】
上で説明された態様のうちのいくつかでは、この方法は、ネットワークに対する第2のアクセス許可セットを含む第2のメッセージを受信することを含むことができ、または装置は、ネットワークに対する第2のアクセス許可セットを含む第2のメッセージを受信するように構成することができ、許可が識別され、アクセス技術を選択することが、受信された第2のメッセージに少なくとも一部基づく。アクセス技術は、ロングタームエボリューションベースのアクセス、拡張高速データパケットベースのアクセス、およびcdma2000スペクトル拡散システムアクセスのうちの少なくとも1つを含むことが可能である。いくつかの態様では、ワイヤレスデバイスに関するデバイスクラスおよび識別子のうちの少なくとも1つは、アクセス優先順位レベルに関連し得、アクセス技術を選択することはさらに、アクセス優先順位レベルに基づいてもよい。デバイスクラスを記憶することは、いくつかの実装形態では、デバイスクラスを含むメッセージを受信することと、デバイスクラスを記憶することとを含むことが可能である。さらに、ワイヤレスデバイスに関する識別子は、IMSI、MEID、およびUATIのうちの1つまたは複数をさらに含むことが可能である。
【００２２】
ランダム化メトリックは、選択確率、選択しきい値、および選択範囲のうちの1つを含むことが可能である。アクセス技術は、ランダム値を生成して、ランダム値とランダム化メトリックの比較に基づいて、アクセス技術を選択することによって選択され得る。
【図面の簡単な説明】
【００２３】
【図１】本開示の態様が使用され得るワイヤレス通信ネットワークの例を示す図である。
【図２】図1のワイヤレス通信ネットワークの特定の通信エンティティの機能ブロック図の一例を示す図である。
【図３】図1のワイヤレス通信ネットワーク内で使用され得るワイヤレスデバイスの機能ブロック図の一例を示す図である。
【図４】図1のワイヤレス通信ネットワーク内で使用され得るシステム選択の例示的な方法に関する決定フロー図である。
【図５】図1のワイヤレス通信ネットワーク内で使用され得る例示的な選択メッセージのメッセージ図である。
【図６】図1のワイヤレス通信ネットワーク内で使用され得る、ネットワーク通信を制御するための例示的な方法のメッセージ交換図である。
【図７】図1のワイヤレス通信ネットワーク内で使用され得るワイヤレス通信の例示的な方法のプロセスフロー図である。
【図８】図1のワイヤレス通信ネットワーク内で使用され得る別の例示的なワイヤレス通信デバイスの機能的ブロック図である。
【図９】図1のワイヤレス通信ネットワーク内で使用され得るワイヤレス通信の別の例示的な方法のプロセスフロー図である。
【図１０】図1のワイヤレス通信ネットワーク内で使用され得る、さらなる例示的なワイヤレス通信デバイスの機能的ブロック図である。
【発明を実施するための形態】
【００２４】
慣例に従って、図面に示される様々な特徴は、一定の縮尺で描かれていない可能性がある。したがって、様々な特徴の寸法は、明快のために、適宜拡大または縮小されていることがある。加えて、図面のいくつかは、所与のシステム、方法、またはデバイスの構成要素のすべてを描写していない場合がある。最後に、本明細書および図の全体を通して、同様の特徴を示すために同様の参照番号が使用される場合がある。
【００２５】
いくつかの通信システムでは、各デバイスは1つまたは複数のデバイスクラスに関連し得る。デバイスクラスを使用して、ネットワーク通信はネットワークオペレータによって制御され得る。たとえば、デバイスを、サービス計画、サービス品質(QoS)クラス、アクセス優先順位、および各デバイスに関する加入に従って分類することが可能である。別の例として、デバイスは、特定の無線アクセス技術を介してネットワークにアクセスするための効率に従って分類され得る。信号強度および優先順位を使用して、ネットワークにアクセスすることが可能であるが、これらの2つの要因によって提供される制御のレベルは制限される。本明細書で説明されるのは、デバイス分類を活用して、通信制御をさらに精緻化する追加の制御レベルである。
【００２６】
添付の図面を参照しながら、新規のシステム、装置および方法の種々の態様が、以下にさらに十分に説明される。しかしながら、本開示の教示は、多くの異なる形態で具現化することができ、本開示全体にわたって提示される任意の特定の構造または機能に限定されるべきではない。むしろ、これらの態様は、本開示が周到で完全になり、本開示の範囲を当業者に十分に伝えるために与えられるものである。本明細書の教示に基づいて、本開示の範囲は、本発明の何らかの他の態様とは無関係に実装されるにせよ、本発明の何らかの他の態様と組み合わせて実装されるにせよ、本明細書で開示する新規のシステム、装置および方法のいかなる態様をもカバーするものであることを、当業者は諒解されたい。たとえば、本明細書に記載の態様をいくつ使用しても、装置を実装することができ、または方法を実施することができる。さらに、本発明の範囲は、本明細書に記載の本発明の様々な態様に加えてまたはそれらの態様以外に、他の構造、機能、もしくは構造および機能を使用して実施されるそのような装置またはそのような方法を包含することが意図される。本明細書で開示するいずれの態様も、請求項の1つまたは複数の要素によって具現化され得ることを理解されたい。
【００２７】
特定の態様について本明細書で説明するが、これらの態様の多くの変形体および置換は本開示の範囲内に入る。好ましい態様のいくつかの利益および利点に言及するが、本開示の範囲は特定の利益、使用、または目的に限定されるものではない。むしろ、本開示の態様は、様々なワイヤレス技術、システム構成、ネットワーク、および送信プロトコルに広く適用可能であることが意図され、そのうちのいくつかが例として図および好ましい態様についての以下の説明で示される。詳述される説明および図面は、本開示を限定的なものではなく、単に例示するものであり、本開示の範囲は添付の特許請求の範囲およびその均等物によって規定される。
【００２８】
「例示的」という語は、本明細書では「例、実例、または例示として働く」ことを意味するように使用される。本明細書に「例示的な」と記載されるいかなる実装形態も、必ずしも他の実装形態よりも好ましいか、または有利であると解釈されるべきではない。以下の説明は、いかなる当業者でも本発明を作製および使用することができるように提示される。詳細は、説明を目的として以下の説明に示される。当業者が、本発明がこれらの特定の詳細を使用することなく実施され得ることを認めるであろうことを諒解されたい。その他の場合、よく知られている構造およびプロセスは、不必要な詳細によって本発明の説明を曖昧にしないために詳しく説明されない。したがって、本発明は、示される実装によって限定されるように意図されておらず、本明細書において開示される原理および特徴に合致する最も広い範囲を与えられるべきである。
【００２９】
本明細書において説明される技法は、符号分割多元接続(CDMA)ネットワーク、時分割多元接続(TDMA)ネットワーク、周波数分割多元接続(FDMA)ネットワーク、直交FDMA(OFDMA)ネットワーク、シングルキャリアFDMA(SC-FDMA)ネットワークなどの様々なワイヤレス通信ネットワークのために用いることができる。「ネットワーク」および「システム」という語は、しばしば互換的に使用される。CDMAネットワークは、汎用地上波無線アクセス(UTRA:Universal Terrestrial Radio Access)、cdma2000などの無線技術を実施することができる。UTRAは、広帯域CDMA(W-CDMA(登録商標))および低チップレート(LCR)を含む。cdma2000は、IS-2000規格、IS-95規格およびIS-856規格をカバーする。TDMAネットワークは、広域移動通信システム(GSM(登録商標):Global System for Mobile Communications)などの無線技術を実装し得る。OFDMAネットワークは、発展型UTRA(E-UTRA:Evolved UTRA)、IEEE802.11、IEEE802.16、IEEE802.20、フラッシュOFDMAなどのような無線技術を実装することができる。UTRA、E-UTRA、およびGSM(登録商標)は、ユニバーサル移動通信システム(UMTS:Universal Mobile Telecommunication System)の一部である。ロングタームエボリューション(LTE:Long Term Evolution)は、E-UTRAを使用するUMTSのリリースである。UTRA、E-UTRA、GSM(登録商標)、UMTSおよびLTEは、「第3世代パートナーシッププロジェクト」(3GPP)という名称の組織からの文書に記載されている。cdma2000は、「第3世代パートナーシッププロジェクト2」(3GPP2)という名称の組織からの文書に記載されている。これらの種々の無線技術および標準規格は、当技術分野で知られている。
【００３０】
さらに、以下の説明では、簡潔および明快の理由で、UMTSシステムに関連する専門用語が使用される。開示する技法はまた、LTEアドバンスト、LTE、W-CDMA(登録商標)、TDMA、OFDMA、高速パケットデータ(HRPD)、拡張高速パケットデータ(eHRPD:Evolved High Rate Packet Data)、ワールドワイドインターオペラビリティフォーマイクロウェーブアクセス(WiMax:Worldwide Interoperability for Microwave Access)、GSM(登録商標)、GSM(登録商標)進化型高速データレート(EDGE:enhanced data rate for GSM(登録商標) evolution)などに関する技術および関連規格など、他の技術に適用可能であることが強調されるべきである。異なる技術に関連する用語は、変わり得る。たとえば、考慮される技術に応じて、UMTS内で使用されるユーザ機器(UE)は、時々、いくつか挙げてみると、移動局、ユーザ端末、加入者ユニット、アクセス端末などと呼ばれることがある。同様に、UMTS内で使用されるノードBは、時々、発展型ノードB(eノードB)、アクセスノード、アクセスポイント、基地局(BS)、HRPD基地局(BTS)などと呼ばれることがある。異なる用語は適用可能であるとき異なる技術に当てはまることに留意されたい。
【００３１】
図1は、本開示の態様が使用され得るワイヤレス通信ネットワークまたはワイヤレス通信システム100の例を示す。ワイヤレス通信ネットワーク100は、ワイヤレス規格、たとえば、LTEアドバンスト規格、LTE規格、WiMax規格、GSM(登録商標)規格、EDGE規格、802.11規格、WiFiアドバンストN規格などに準じて動作する可能性がある。ワイヤレス通信システム100は、局(STA)106と通信するアクセスポイント(AP)104を含み得る。
【００３２】
アクセスポイント(AP)は、ノードB、無線ネットワークコントローラ(RNC)、eノードB、基地局制御装置(BSC)、トランシーバ基地局(BTS)、基地局(BS)、トランシーバ機能(TF)、無線ルータ、無線トランシーバ、またはいくつかの他の専門用語を含んでよく、それらとして実装されてよく、あるいはそれらとして知られている。
【００３３】
局STAは、アクセス端末(AT)、加入者局、加入者ユニット、移動局、遠隔局、遠隔端末、ユーザ端末、ユーザエージェント、ユーザデバイス、ユーザ機器(UE)、またはいくつかの他の専門用語を含んでよく、それらとして実装されてよく、あるいはそれらとして知られている。いくつかの実装形態では、アクセス端末は、セルラー電話、コードレス電話、セッション開始プロトコル(SIP)電話、ワイヤレスローカルループ(WLL)局、携帯情報端末(PDA)、ワイヤレス接続機能を有するハンドヘルドデバイス、またはワイヤレスモデムに接続された何らかの他の好適な処理デバイスを含み得る。したがって、本明細書において開示される1つまたは複数の態様は、電話(たとえば、セルラー電話またはスマートフォン)、コンピュータ(たとえば、ラップトップ)、可搬型通信デバイス、ヘッドセット、可搬型コンピューティングデバイス(たとえば、携帯情報端末)、エンターテインメントデバイス(たとえば、音楽もしくは映像デバイス、または衛星ラジオ)、ゲーム機またはシステム、ワイヤレスセンサーデバイス、全地球測位システムデバイス、あるいはワイヤレス媒体を介して通信するように構成される任意のその他の好適なデバイスに組み込まれる可能性がある。
【００３４】
ワイヤレス通信システム100においてAP 104とSTA 106との間の伝送のために種々のプロセスおよび方法を用いることができる。たとえば、OFDM/OFDMA技法に従って、AP 104とSTA 106との間でメッセージ(たとえば、データグラム、信号など)を送信および受信することができる。この場合、ワイヤレス通信システム100は、OFDM/OFDMAシステムと呼ばれる場合がある。あるいは、メッセージは、W-CDMA(登録商標)またはCDMA技法に従って、AP 104とSTA 106との間で送信および受信することができる。この場合、ワイヤレス通信システム100は、W-CDMA(登録商標)またはCDMAシステムと呼ばれる可能性がある。
【００３５】
AP 104からSTA 106のうちの1つまたは複数への送信を容易にする通信リンクは、ダウンリンク(DL)と呼ばれる可能性があり、STA 106のうちの1つまたは複数からAP 104への送信を容易にする通信リンクは、アップリンク(UL)と呼ばれる可能性がある。あるいは、ダウンリンクは順方向リンクまたは順方向チャネルと呼ばれる場合があり、アップリンクは逆方向リンクまたは逆方向チャネルと呼ばれる場合がある。
【００３６】
AP 104は、基地局として構成される場合があり、基本サービスエリア(BSA)102内でワイヤレス通信カバレッジを提供する。考慮される技術に応じて、BSAは、時々、カバレージエリア、セルなどと呼ばれることがある。AP 104は、AP 104に関連付けられ、通信のためにAP 104を使用するSTA 106とともに、基本サービスセット(BSS)と呼ばれる場合がある。ワイヤレス通信システム100は、中央AP 104を有さない場合があり、むしろSTA 106間のピアツーピアネットワークとして機能する場合があることに留意されたい。したがって、本明細書において説明されるAP 104の機能は、あるいは、STA 106のうち1つまたは複数によって実行される場合がある。
【００３７】
図1に示されるように、複数のAPは異なるBSAを同じデバイスに提供することができる。たとえば、STA 106dは、AP 104cまたはAP 104dのいずれかからサービスを受信することができる。いくつかの実装形態では、これは重複と呼ばれる。重複状況では、STA 106dは、サービスのためにどのAPを使用するかを選択するように構成可能である。たとえば、デバイスの電源が入るとき、デバイスは可能なネットワークサービスプロバイダを識別するメッセージを走査するように構成可能である。別の例として、デバイスがアイドル状態から戻るとき、デバイスは、ネットワークサービスプロバイダを再選択するように構成可能である。アイドル状態にある間、デバイスは、再選択を実行するために使用され得る情報を含むある種のオーバヘッドメッセージを受信することができる。
【００３８】
いくつかの実装形態では、APによって提供されるサービスは同じであってよい(たとえば、LTEまたはeHRPD)。いくつかの実装形態では、APによって提供されるサービスは異なってよい(たとえば、AP 104cはLTEを提供するように構成可能であるのに対して、AP 104dはeHRPDアクセスを提供するように構成可能である)。上で説明されたサービスは無線アクセス技術サービスを指すが、APは、説明される方法およびサービスに従って選択され得る他のサービスを提供するように構成可能であることを理解されよう。そのようなサービスは、認証サービス、アプリケーションサービス、加入サービス、またはネットワーク内で複数のプロバイダから選択することが可能な他のサービスを含むことが可能である。
【００３９】
APを選択する1つの手法は、最強の信号強度を利用することである。しかしながら、STA 106dの重複状況のような重複状況では、両方のサービスからの信号強度は等しい場合があるが、両側のネットワーク負荷はまったく異なる場合がある。ネットワークオペレータが、負荷が重いときなど、STAがどのように選択を行うかに影響を及ぼす情報を提供することを可能にすることが望ましい場合がある。下でより詳細に説明されるように、APは、所与のサービスを利用することが許可もしくは拒否されるデバイスまたはデバイスクラスを示す情報を送信することができる。この情報を受信するデバイスは、受信された情報に少なくとも一部基づいて、デバイスがサービスを利用することが許可されるか、または拒否されるかを判断して、許可されたデバイスから選択するように構成され得る。
【００４０】
図2は、図1のワイヤレス通信ネットワークの特定の通信エンティティの機能ブロック図の一例を示す。図2に示された構成要素は、マルチモードまたはマルチバンドデバイスが、モバイルデバイスが現在動作している位置のネットワークの構成に応じて複数の無線アクセス技術(RAT)、たとえば、eHRPDネットワーク、LTEネットワークなどを使用して通信し得るシステムを示す。図2が示すように、システム200は、LTE無線アクセス技術を使用してUE 206とeノードB 208a(たとえば、ノードB、基地局、アクセスポイントなど)との間のワイヤレス無線通信を提供する無線アクセスネットワークRAN 202を含み得る。システムはまた、eHRPD無線アクセス技術を使用してUE 206とeHRPDトランシーバ基地局(BTS)208b(たとえば、ノードB、基地局、アクセスポイントなど)との間のワイヤレス無線通信を提供するRAN204を示す。議論を簡単にするために、図2は、UE 206と、1つのRAN内の1つのeノードB 208aと、別のRAN内の1つのHRPD BTS 208bとを示すが、各RANは、任意の数のUEおよび/またはeノードB/HRPD BTSを含み得ることを諒解されたい。加えて、UTRA、GSM(登録商標)、EDGEなどの追加のRANが含まれる可能性があることを諒解されたい。
【００４１】
一態様によれば、eNodeB 208aおよびHRPD BTS 208bは、順方向リンクすなわちダウンリンクチャネルを介してUE 206に情報を送信し、UE 206は、逆方向リンクすなわちアップリンクチャネルを介してeノードB 208aおよびHRPD BTS 208bに情報を送信し得る。図示のように、RANは、限定はしないが、LTE、LTEアドバンスト、HSPA、CDMA、HRPD、eHRPD、CDMA2000、GSM(登録商標)、GPRS、EDGE、UMTSなど、任意の適切なタイプの無線アクセス技術を利用し得る。
【００４２】
RANと、特にeNodeB 208aおよびHRPD BTS 208bとは、課金(たとえば、サービスの使用料など)、セキュリティ(たとえば、暗号化および完全性の保護)、加入者管理、モビリティ管理、ベアラ管理、QoSの処理、データフローのポリシー制御、ならびに/または外部ネットワークとの相互接続を可能にするコアネットワークと通信することができる。RANおよびコアネットワークは、たとえば、S1インターフェースを介して通信し得る。コアネットワークは、RANからの制御メッセージングに対するエンドポイントであってよいモビリティ管理エンティティ(MME)216を含み得る。MME 216は、モビリティ管理(たとえば、追跡)、認証、およびセキュリティなどの機能を提供し得る。MME 216は、S1を介してRANと通信し得る。コアネットワークはまた、コアネットワークをLTE RANに接続するユーザプレーンノードであるサービングゲートウェイ(S-GW)210を含み得る。コアネットワークは、コアネットワークをeHRPD RANに接続するHRPDサービングゲートウェイ(HSGW)214も含み得る。また、eHRPD RANは、HRPD BTS 208bとHSGW 214との間のパケットの中継を管理する進化型アクセスノード(eAN)および進化型パケット制御機能(ePCF)エンティティ212を含む。
【００４３】
一態様では、MME 216は、S11インターフェースを介してS-GW 210と通信すること、またはS101インターフェースを介してeAN/ePCF 212と通信することが可能である。S101インターフェースを用いて、MME 216およびeAN/PCF 212は、単純な負荷インジケータなどの負荷情報、その残りのリソースの割合、アクセスが許可または禁止されたデバイスの割合、アクセスが許可または禁止されたデバイスのクラス、アクセスが許可または禁止されたデバイスの識別子、アクセスが許可または禁止されたデバイスの分布(たとえば、クラスAに関してx%、クラスBに関してy%など)を交換するように構成され得る。
【００４４】
さらに、HSGW 214およびS-GW 210は、eHRPDネットワークとEPCとの間の相互運用性を容易にするために通信することがある。別の態様では、MME 216およびS-GW 210は、ユーザに対する単一のエンドポイントを提供し、RANから始まりかつ/またはRANにおいて終端するメッセージングを制御するために、シングルノードとして構成され得る。ネットワークは、ポリシーおよび課金規則機能(PCRF)230も含み得る。PCRF 230は、S-GW 210、HSGW 214、PDN GW 218、およびコアネットワークと通信し得る。
【００４５】
コアネットワークは、コアネットワーク(および、RAN)と外部ネットワークとの間の通信を容易にするパケットデータネットワーク(PDN)ゲートウェイ(GW)218も含み得る。PDN GW 218は、パケットフィルタリング、QoSポリシング、課金、IPアドレス割当て、および外部ネットワークへのトラフィックのルーティングを提供し得る。一例において、S-GW 210およびPDN GW 218は、S5インターフェースを介して通信することができる。図2においては別々のノードとして示されたが、S-GW 210およびPDN GW 218は、たとえば、コアネットワークのユーザプレーンノードを削減するために単一のネットワークノードとして動作するように構成され得ることを諒解されたい。一態様では、コアネットワークはまた、互いに通信し、さらにPDN GW 218およびHSGW 214とそれぞれ通信することができる、3GPP認証、許可および課金(AAA)サーバ/プロキシ234ならびに3GPP2 AAAサーバ/プロキシ236を含み得る。コアネットワークは、MME 216および3GPP AAAサーバ/プロキシ234と通信することができるホーム加入者サービス(HSS)エンティティ232も含み得る。いくつかの実装形態では、PDN GW 218とUE 206との間の経路は、パケットデータネットワーク接続と呼ばれることがある。パケットデータネットワーク接続は、1つまたは複数のネットワーク(たとえば、IP)アドレスによって識別され得る。
【００４６】
コアネットワークは、PDN GW 218を介して外部ネットワークと通信し得る。図示はしないが、外部ネットワークは、限定はしないが、公衆交換電話網(PSTN)、IPマルチメディアサブシステム(IMS)、および/またはIPネットワークなどのネットワークを含み得る。IPネットワークは、インターネット、ローカルエリアネットワーク、広域ネットワーク、イントラネットなどであってよい。図2に示す構成は、1つの可能な構成の一例にすぎず、多くの他の構成および追加の構成要素が、下で説明する様々な態様および実装形態に従って使用され得ることを諒解されたい。
【００４７】
図3は、図1のワイヤレス通信ネットワーク内で使用され得るワイヤレスデバイスの機能ブロック図の一例を示す。ワイヤレスデバイス302は、本明細書において説明される種々の方法を実施するように構成され得るデバイスの一例である。たとえば、ワイヤレスデバイス302は、STA、UE、AT、加入者局、加入者ユニット、移動局、遠隔局、遠隔端末、ユーザ端末、ユーザエージェント、ユーザデバイスなどを含み得る。別の例として、ワイヤレスデバイス302は、1つもしくは複数の周波数で、LTE、LTEアドバンスト、HSPA、CDMA、HRPD、eHRPD、CDMA2000、GSM(登録商標)、GPRS、EDGE、UMTSなどを使用するなど、異なる無線アクセス技術(RAT)を使用して動作することができるマルチモードまたはマルチバンドデバイスである可能性がある。
【００４８】
ワイヤレスデバイス302は、ワイヤレスデバイス302の動作を制御するプロセッサ304を含み得る。プロセッサ304は、中央処理装置(CPU)と呼ばれることもある。読取り専用メモリ(ROM)とランダムアクセスメモリ(RAM)の両方を含み得るメモリ306は、命令およびデータをプロセッサ304に与える。メモリ306の一部は不揮発性ランダムアクセスメモリ(NVRAM)をも含み得る。プロセッサ304は、一般的に、メモリ306内に記憶されているプログラム命令に基づいて論理演算および算術演算を実行する。メモリ306内の命令は、本明細書で説明する方法を実装するために実行可能であり得る。
【００４９】
メモリ306内のデータは、コンフィギュレーションデータを含み得る。コンフィギュレーションデータは、メモリ306にプリロードされ得る。コンフィギュレーションデータは、(たとえば、インターフェース322、SIMカード、ダウンロード、無線によって)ワイヤレスデバイス302のユーザから取得され得る。プロセッサ304は、コンフィギュレーションデータにさらに基づいて論理演算および算術演算を実行する可能性がある。
【００５０】
いくつかの態様では、プロセッサ304は、データおよび/またはメッセージを含む信号を送信するように、かつ別のデバイス(たとえば、AP 104、STA 106など)からの信号を受信するように構成される。信号は、どのデバイスまたはデバイスクラスが、提供されるネットワークサービスへのアクセスが許可されるか、または拒否されるかを示す情報を含むことが可能である。たとえば、いくつかの実装形態では、デバイス302によって提供される無線アクセスは大量のトラフィックを受ける場合がある。プロセッサ304は、どのデバイスまたはデバイスクラスがデバイス302の無線アクセス技術にアクセスすることを許可されるか、または拒否されるかを示すメッセージを送信させることが可能である。これにより、APにアクセスすることができるデバイス/クラスを示すメッセージがAPによって送信される。プロセッサ304はさらに、アクセス許可を実施するように構成され得る。たとえば、APにアクセスすることが許可されないと示されるデバイスがAPにアクセスを試みる場合、プロセッサ304はアクセス要求を失敗させることができる。
【００５１】
いくつかの実装形態では、プロセッサ304は、トラフィック量以外の基準に少なくとも一部基づいて、どのデバイスまたはデバイスクラスが、提供されるネットワークサービスにアクセスすることを許可されるか、または拒否されるかを示す情報を送信するように構成され得る。そのような基準は、AP容量、ランダムサービス配信、および統計的サービス配信を含むことが可能である。
【００５２】
いくつかの実装形態では、ネットワーク入力/出力(I/O)モジュールが提供される324。ネットワークI/Oモジュール324は、(たとえば、AP間で)ネットワーク構成要素から信号を送信および受信するように構成され得る。いくつかの実装形態では、これはバックホールシグナリングと呼ばれる場合がある。デバイスがネットワークI/Oモジュール324を介して信号を他のデバイスに送信するための大量のトラフィックを受けることが望ましい場合がある。上で説明されたように、他のデバイスのプロセッサ304は、どのデバイスまたはデバイスクラスがデバイス302の無線アクセス技術にアクセスすることを許可されるか、または拒否されるかを示す信号を送信させることができる。いくつかの実装形態では、第2のAPにアクセスすることを許可または拒否されたデバイス/クラスを示す信号は第1のAPから送信され得る。
【００５３】
ワイヤレスデバイス302がSTAとして実施されるとき、プロセッサ304は、ネットワークサービスにアクセスすることを許可または拒否されるデバイス/デバイスクラスを示す受信情報に少なくとも一部基づいて、ネットワークサービスを選択するように構成され得る。この情報は、メモリ306内に記憶可能であり、プロセッサは、その情報をワイヤレスデバイス302に関して前に取得されたデバイス識別子およびデバイスクラスと比較するように構成され得る。
【００５４】
プロセッサ304は、1つもしくは複数のプロセッサとともに実装される処理システムの構成要素を備えてよく、または構成要素であってよい。1つまたは複数のプロセッサは、汎用マイクロプロセッサ、マイクロコントローラ、デジタル信号プロセッサ(DSP)、フィールドプログラム可能ゲートアレイ(FPGA)、プログラマブル論理デバイス(PLD)、コントローラ、状態機械、ゲート論理、個別ハードウェア構成要素、専用ハードウェア有限状態機械、または情報の算出もしくは他の操作を実施し得る他のどの適したエンティティのどの組合せを有しても実装され得る。
【００５５】
処理システムは、ソフトウェアを記憶するための機械可読媒体も含み得る。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されたい。命令は、(たとえば、ソースコード形式、バイナリコード形式、実行可能コード形式、または任意の他の適切なコード形式の)コードを含むことができる。命令は、1つまたは複数のプロセッサによって実行されると、処理システムに、本明細書で説明する様々な機能を実行させる。
【００５６】
ワイヤレスデバイス302は、ワイヤレスデバイス302と遠隔の場所との間のデータの送受信を可能にするための送信機310および/または受信機312を含むハウジング308を含むことも可能である。上述のように、送信機310は、ステータス情報をワイヤレスに送信するように構成され得る。さらに、受信機312は、ユーザデータをワイヤレスで受信するように構成され得る。送信機310および受信機312は、トランシーバ314へと組み合わされる可能性がある。アンテナ316が、ハウジング308に取り付けられ、トランシーバ314に電気的に結合される可能性がある。ワイヤレスデバイス302は、(図示されていない)複数の送信機、複数の受信機、複数のトランシーバ、および/または複数のアンテナを含む可能性もある。
【００５７】
ワイヤレスデバイス302は、トランシーバ314によって受信された信号のレベルを検出および定量化する作業に使用され得る信号検出器318を含むことも可能である。信号検出器318は、総エネルギー、シンボルごとのサブキャリア当たりのエネルギー、電力スペクトル密度および他の信号などの信号を検出し得る。ワイヤレスデバイス302は、信号を処理する際に使用するためのデジタル信号プロセッサ(DSP)320を含むことも可能である。DSP 320は、送信するためのパケットを生成し、および/または受信されたパケットを処理するように構成され得る。
【００５８】
いくつかの態様において、ワイヤレスデバイス302は、ユーザインターフェース322をさらに含むことが可能である。ユーザインターフェース322は、キーパッド、マイクロホン、スピーカー、および/またはディスプレイを含むことが可能である。ユーザインターフェース322は、ワイヤレスデバイス302のユーザに情報を伝え、および/またはユーザから入力を受け取る任意の要素または構成要素を含むことが可能である。
【００５９】
ワイヤレスデバイス202の様々な構成要素は、バスシステム326によって一緒に結合することができる。バスシステム326は、データバスとともに、たとえば、データバスに加えて、電力バス、制御信号バス、および状態信号バスを含むことが可能である。ワイヤレスデバイス302の構成要素は、何らかの他の機構を使用して、一緒に結合されてよく、または互いに入力を受け入れもしくは提供してよいことを、当業者は諒解されよう。
【００６０】
いくつかの別個の構成要素が図3に示されているが、構成要素のうち1つまたは複数は、組み合わされるか、または共通して実装され得ることを当業者は認識するであろう。たとえば、プロセッサ304は、プロセッサ304に関して上で説明された機能を実装するだけでなく、信号検出器318および/またはDSP 320に関して上で説明された機能も実装するために使用される可能性がある。さらに、図3に示された構成要素のそれぞれは、複数の別々の要素を使用して実装される可能性がある。たとえば、プロセッサ304およびメモリ306は、単一のチップに具現化される可能性がある。プロセッサ304は、追加的または代替的に、プロセッサレジスタなどのメモリを含むことが可能である。同様に、機能ブロックのうちの1つもしくは複数、または様々なブロックの機能の一部が、単一のチップで具現化される可能性がある。代替的に、特定のブロックの機能が、2つ以上のチップで実装される可能性がある。
【００６１】
本明細書および添付の特許請求の範囲では、「回路」(「circuit」および「circuitry」)という用語が、機能的用語としてではなく、構造的用語として解釈されることは明らかであるはずである。たとえば、回路は、図3に示し説明したように、処理および/またはメモリセル、ユニット、ブロックなどの形での多くの集積回路構成要素など、回路構成要素の集合体であってよい。ワイヤレスデバイス302に関して説明された機能ブロックのうちの1つもしくは複数および/または機能ブロックの1つもしくは複数の組合せは、コンピューティングデバイスの組合せ、たとえば、DSPとマイクロプロセッサとの組合せ、複数のマイクロプロセッサ、DSP通信と連携する1つもしくは複数のマイクロプロセッサ、または任意のその他のそのような構成として実装される可能性もある。
【００６２】
図4は、図1のワイヤレス通信ネットワーク内で使用され得るシステム選択の例示的な方法に関する決定フロー図を例示する。図4に例示される決定フローは、少なくとも一部、本明細書で説明するワイヤレスデバイスによって実施され得る。たとえば、ワイヤレスデバイス302は、決定フローの一部を実装することができる。
【００６３】
図4に示される決定フローは、ネットワークオペレータがネットワークサービスを提供するどのシステムがデバイスによってアクセスされるかに影響を与えることを可能にするために使用され得る。図4に示される例では、ソースシステムとターゲットシステムとが議論される。この例では、ソースシステムは、第1のネットワークサービスを提供するAPであり得る。ソースシステムは、この例で参照されるUEが接続されるように構成されるシステムである。ターゲットシステムは、代替のネットワークサービスを第1のネットワークサービスに提供するAPであり得る。ソースシステムは、ターゲットシステムよりもより低いトラフィック量を受けるシステムであり得る。したがって、ソースシステムおよびターゲットシステムは、上で説明された重複を示す可能性がある。そのような状況では、ネットワークはソースシステムからターゲットシステムへのUEトラフィックを禁止するように構成され得る。いくつかの実装形態では、ソースシステムは、eHRPD RANであってよく、ターゲットシステムはLTE RANであってよい。
【００６４】
ブロック402で、ターゲットシステムは、高負荷を受けているとして識別される。この状態の識別は、ターゲットシステムから1つまたは複数のソースシステムへのネットワークを介したメッセージングによって実現され得る。ターゲットシステムは、ソースシステムの代わりにサービスを提供するように構成されたシステムであり得る。この決定フローは本明細書で議論されるように、負荷に基づいて開始するとして示されるが、他の基準を使用して、ネットワークサービスにアクセスすることを許可もしくは拒否されるデバイスおよび/またはデバイスクラスを判断することが可能である。たとえば、フローは、ターゲットネットワーク、または、ネットワーク内のキャリア/周波数の数、ネットワークに対する接続の数、ネットワークに対する特定の状態(たとえば、アイドル、アクティブ)の接続の数、ネットワークのサービスに対する接続の数、特定の状態の接続の数、負荷インジケータ(たとえば、フラグ)、ネットワークまたはシステムに関する残りのリソースの割合、アクセスが許可または禁止されたデバイスの割合、アクセスが許可または禁止されたデバイスのクラス、アクセスが許可または禁止されたデバイスの識別子、アクセスが許可または禁止されたデバイスの分布など、システム特性、および上記のうちの少なくとも1つに基づくアグリゲーションまたは計算(たとえば、履歴データ、傾向データ、加重平均)によって開始され得る。
【００６５】
ソースシステムは、S101インターフェースなど、システム間インターフェースを介してターゲットシステムから情報を取得することができる。この情報は、一方向(たとえば、ターゲットシステム対ソースシステム)、もしくは(たとえば、ソースはその負荷情報をやはりターゲットシステムと共有する)双方向、または(ターゲットシステムが複数の他のネットワークおよびシステムに接続される)より多くの様式で送信され得る。
【００６６】
ブロック404で、ソースシステムはターゲットシステムアクセス情報を送信することができる。いくつかの実装形態では、ソースシステムは、ターゲットシステムにアクセスすることを許可もしくは拒否されたデバイス識別子および/またはデバイスクラスを送信することができる。いくつかの実装形態では、ソースシステムは、ターゲットシステムまたはターゲットシステムの周波数にアクセスすることを拒否されたデバイス識別子および/あるいはデバイスクラスを送信することができる。図4に示されるように、送信は、ブロードキャストであるが、情報はユニキャストまたはマルチキャストであってもよい。たとえば、RANは、オーバヘッドメッセージを介して、または、OTAPA/OMA-DA、およびANDSEなど、遠隔プロビジョニング(remote provisioning)によって、アクセス情報をUEに送信する。
【００６７】
ターゲットシステムアクセス情報は、ランダム化メトリックを含むことも可能である。ランダム化メトリックを使用して、UEがターゲットシステムの周波数を使用してターゲットシステムに接続することができるかどうかを判断することができる。たとえば、ランダム化メトリックは、確率しきい値として提供され得る。特定のクラスのUEがターゲットシステムを対象とする場合、各UEはさらに、ハンドオフを開始する前に、ランダム化メトリックを考慮することができる。これは、同時にまたはほぼ同時に各UEをハンドオフさせるよりも、ターゲットシステムへのUEの移行を容易にすることができる。したがって、確率しきい値が70%である場合、関連するデバイスクラス内のUEが関連するターゲットシステムにハンドオフすることになる可能性は7割である。ランダム化メトリックは、UEがハンドオフ判断を受信することを要請するように構成されたプロセスを指定するランダム化メトリック機能識別子など、他の様式で提供され得る。別の例として、ランダム化メトリックは、所与のデバイスクラスのUEによって共有される乱数生成器を一般にシードする(seed)ために使用できるランダム化シード値(randomization seed value)として提供され得る。ランダム化メトリックは、関連するネットワークが選択されることになる値を識別する選択しきい値として提供され得る。たとえば、このしきい値はある数であってよく、選択は、ランダム生成数(random generated number)としきい値との比較に基づく。ランダム化メトリックは範囲として提供され得る。たとえば、選択は、UEによって生成された値がその範囲内であるかどうかに基づいてよい。
【００６８】
ブロック406で、ネットワークサービスを利用するように構成されたUEがブロードキャスト情報を受信するかどうかについて判断が行われる。UEは、不十分な信号強度により、ブロードキャスト情報を受信しない場合がある。UEはブロードキャスト情報の一部を受信する場合があるが、信号の低下により、含まれた情報を復号できない場合がある。いくつかの実装形態では、ソースシステムはブロードキャスト情報(たとえば、負荷分散が不要であること、ソースシステムがやはりロードされること)を送信しない場合があるため、UEはこの情報を受信しない場合がある。UEがこの情報を受信しない場合、プロセスはブロック408に進む。
【００６９】
ブロック408で、ソースシステムはターゲット優先順位と、ソース優先順位と、再選択信号強度しきい値とをブロードキャストする。ソースシステムは、ブロック404でブロードキャストされた情報と並行して、またはブロック404でブロードキャストされた情報とともに代替の形で、この情報をブロードキャストすることができる。優先順位およびしきい値は、静的構成によって、エアダイナミック構成(air dynamic configuration)、バックホールシグナリング、オーバヘッドシグナリング、または通信ネットワーク内の他の情報交換経路を介して取得され得る。
【００７０】
ブロック410に進むと、UEは、各潜在的なプロバイダに関して受信された優先順位および信号強度のうちの1つもしくは複数に基づいて、ソースシステムまたはターゲットシステムのうちの1つを選択する。ブロック412で、UEは、選択されたシステムに対する接続を開始する。これは、選択されたシステムとの1つまたは複数のメッセージの交換によって実行され得る。アクセスを取得する一環として、UEはそのUEに関連するデバイス識別子および/またはデバイスクラスを送信することができる。
【００７１】
ブロック414で、選択されたシステムは、UEによるアクセスを検証するように構成され得る。これは、アクセスを要求しているUEに関連するデバイス識別子および/もしくはデバイスクラスがネットワークサービスにアクセスすることが許可されるか、または拒否されるかを判断するステップを含むことが可能である。このようにして、ソースシステムまたはターゲットシステムは、許可さされたデバイスだけがサービスにアクセスするのを確実にすることができる。たとえば、UEはブロック404からのブロードキャスト情報を受信しない場合がある。しかしながら、不十分なRF信号およびキャリア当たりの優先順位情報は、UEにターゲットシステムにアクセスさせない場合がある。ブロック410で、UEはターゲットシステムを選択して、ブロック412で、接続を試みることができる。
【００７２】
ブロック406に戻ると、UEがシステムアクセス情報を受信した場合、ブロック416で、ターゲットシステムへのアクセスが許可されるか、または拒否されるかについての判断が実行される。UEは、ブロードキャスト情報に少なくとも一部に基づいて、ターゲットシステムがアクセスのために利用可能であるかどうかを判断することになる。上で議論したように、この判断は、ターゲットシステムに関するランダム化メトリックを考慮することを含む可能性がある。いくつかの実装形態では、ターゲットシステムアクセス情報は、ターゲットシステムにアクセスすることを禁止されたデバイスおよび/またはデバイスクラスを明示的に識別することができる。反対に、ターゲットシステムアクセス情報は、ターゲットシステムにアクセスすることを許可されたデバイスおよび/またはデバイスクラスを明示的に識別することができる。これは、知られている所望されないデバイス(たとえば、盗まれたデバイス、広帯域使用デバイス)または高い優先順位を有するデバイス(たとえば、緊急第一応答デバイス(emergency first responder device)、プレミアム加入者デバイス)にとって有用であり得る。UEがターゲットシステムにアクセスすることを許可された場合、プロセスは上で説明されたようにブロック408に続く。UEがターゲットシステムにアクセスすることを許可されない場合、ブロック418に進む。ブロック418で、UEは、ソースシステム内に残る。
【００７３】
上記の図4は、一般に、ソースシステムとRANなどのターゲットシステムとの間の選択を説明したが、説明された選択プロセスは、ネットワークによって提供される他のサービス、アプリケーション、またはサービス品質を識別するためにも使用され得る。たとえば、ターゲットシステムに負荷がかけられたとき、ソースシステム(たとえば、RAN)は、オーバヘッドメッセージを介して負荷分散情報をUEに送信することができる。負荷分散情報は、UEがいくつかのアプリケーションまたはサービスに関してどのシステムを使用すべきかの識別を含むことが可能である。たとえば、UEは、RCS/IMSに関してLTEを使用するように構成され得る。負荷分散情報は、UEがあるQoS要件を満たすためにどのシステムを使用すべきかの識別を含むことが可能である。たとえば、UEは、低レイテンシのサービスまたはアプリケーションに関してLTEを使用するように構成され得る。
【００７４】
したがって、アプリケーションがUEによって開始されるとき、UEはRANから受信された情報に基づいて、適切なシステムを選択することができる。この構成のある態様は、(ANDSFなどを使用した)OTAPA/OMA-DMなど、遠隔プロビジョニングを使用するデバイスに伝達され得る。
【００７５】
図5は、図1のワイヤレス通信ネットワーク内で使用され得る例示的な選択メッセージのメッセージ図を例示する。図5に例示されるメッセージは、ネットワークサービス、システム、または上で議論されたような周波数にアクセスすることが許可または拒否されたデバイスを示すアクセス情報をブロードキャストするために使用され得る。図5に示される情報は、UEに関連するアクセス端末識別子(ATI)に関する。このメッセージは、メッセージ識別子フィールド502を含む。メッセージ識別子フィールド502は、メッセージ内に含まれたメッセージのタイプを示す値を含む。いくつかの実装形態では、これは、信号をアクセス情報メッセージとして識別する事前定義された値であってよい。
【００７６】
このメッセージは、許可または拒否リストフィールド504を含むことが可能である。許可または拒否リストフィールド504は、メッセージ内で識別されたデバイスがアクセスすることが許可されたデバイスか、または拒否されたデバイスかを示す単一のビットを含むことが可能である。
【００７７】
このメッセージは、含まれた全ATIグループフィールド(total ATI groups included field)506を含むことが可能である。含まれた総ATIグループフィールド506は、メッセージ内に含まれたATIグループの総数を示す値を含むことが可能である。
【００７８】
各ATIグループは、部分508のインスタンスによって表されることになる。各部分508は、グループATI最上位ビット共通値長フィールド(group ATI most significant bit common value length field)510を含む。最上位ビットを使用して、メッセージ内に含まれたアクセス情報によって支配されるATIのグループをマスキングする(mask)ことができる。グループATI最上位ビット共通値フィールド510は、このグループに関する共通の最上位ビットシーケンスの長さを示す値を含む。最上位ビット共通値を示す値を含むグループATI最上位ビット共通値フィールド512をやはり提供することができる。
【００７９】
各部分508は、このグループフィールド514内のいくつかのATIを含む。このグループフィールド514内のATIの数は、この部分508内に含まれたATIの数を示す値を含む。各部分508は、次いで、少なくとも1つのATI最下位ビットフィールドを含む。図5に示すように、3つのATI最下位ビットフィールド(ATI最小位ビットフィールド516a、ATI最下位ビットフィールド516b、およびATI最下位ビットフィールド516n)が示される。1つまたは複数のATI最下位ビットフィールドは、各部分508内に含まれ得ることを諒解されよう。
【００８０】
このメッセージは、予約フィールド518を含むことも可能である。予約フィールド518を使用して、特別な処理情報を記憶することができる。たとえば、予約フィールド518は、そのアクセス情報がどのAPに対応するかを示すAP識別子を含むことが可能である。予約フィールド518はまた、アクセス端末の識別されたグループに関するランダム化メトリックを含むことが可能である。
【００８１】
図5に示すメッセージは、カプセル化メッセージ内に含まれてよい。カプセル化メッセージ内に含まれる情報は、アクセス情報を伝えるためにも使用され得る。たとえば、アクセス情報がどのAPに対応するかを識別する情報は、カプセル化メッセージ内に含まれてもよい。さらに、図5に示すメッセージは単なる例であることを諒解されよう。アクセス情報メッセージにさらなるフィールドを追加することが可能であり、本開示の範囲から逸脱せずに、示されるアクセス情報メッセージからフィールドを省略することも可能である。
【００８２】
図6は、図1のワイヤレス通信ネットワーク内で使用され得る、ネットワーク通信を制御するための例示的な方法のメッセージ交換図を示す。メッセージ交換図は、通信システムのいくつかの構成要素を例示する。この図は、ユーザ機器650と、ソースRAN/eNB/MME 655と、PDSN/HSGW/AGW 660と、HSS/AAA 665と、ターゲットRAN/eNB/MME 670とを含む。
【００８３】
メッセージ602aは、ターゲットRAN/eNB/MME 670からソースRAN/eNB/MME 665に送信され得る。いくつかの実装形態では、メッセージ602aは、エンティティ同士の間で直接的に送信され得る。いくつかの実装形態では、メッセージ602aは、1つまたは複数の媒介を介して送信され得る。メッセージ602aは、アクセス情報を含むことが可能である。たとえば、メッセージ602aは、ターゲットRAN/eNB/MME 670が高いトラフィック量を受けていることを示すことができ、負荷インジケータ(たとえば、フラグ)などの負荷情報、ネットワークまたはシステムに関する残りのリソースの割合、アクセスが許可または禁止されたデバイスの割合、アクセスが許可または禁止されたデバイスのクラス、アクセスが許可または禁止されたデバイスの識別子、アクセスが許可または禁止されたデバイスの分布を含むことが可能である。いくつかの実装形態では、メッセージ602aは、ターゲットRAN/eNB/MME 670にアクセスすることを許可もしくは拒否されたデバイスおよび/またはデバイスクラスの表示を含むことが可能である。
【００８４】
ソースネットワークに接続するためにUE650によって実行される初期メッセージングは図示されない。接続すると同時に、HHS/AAA 665は、接続されたUE 650が関連するデバイス識別子と、1つまたは複数のデバイスクラスとを含むメッセージ602bを送信することができる。いくつかの実装形態では、デバイス識別子は、国際モバイル加入者識別情報(IMSI)であってよい。他のデバイス識別子は、ユニバーサル/ユニキャストアクセス端末識別子(UATI)またはモバイル装置識別子(MEID)を含むことが可能である。
【００８５】
ある時点で、ソースRAN/eNB/MME 665は、S101インターフェースを介してなど、ターゲットRAN/eNB 670から受信されたメッセージ602aに基づいて、アクセス情報を含むメッセージ604を送信することになる。ソースRAN/eNB/MME 665によって提供される基本サービスエリア内のUEは、このメッセージ604を受信することができる。いくつかの実装形態では、UEは、メッセージ602bをターゲットRAN/eNB/MME 670から直接受信することができる。
【００８６】
ターゲットRAN/eNB/MME 670およびRAN/eNB/MME 655の選出を仮定すると、UE 650は、メッセージ604内に含まれた情報を使用して、ソースRAN/eNB/MME 655を選択することができる。UE 650は、ソースRAN/eNB/MME 655を介してターゲットシステムによって提供されるネットワークサービスに対するアクセスを要求するメッセージ606を送信することができる。メッセージ606は、UE 650に関連するデバイス識別子および/またはデバイスクラスを含むことが可能である。
【００８７】
ソースRAN/eNB/MME 665は、メッセージ606によって識別された要求側デバイスによるアクセスに対する許可を要求するメッセージ608をPDSN/HSGW/AWG 660に送信することができる。PDSN/HSGW/AWG 660は、HSS/AAA 665からこの情報を要求するメッセージ610を送信するように構成され得る。事前構成された加入情報、許可データベース、プリペイドサービス、ネットワーク条件(たとえば、負荷、容量、帯域幅)または他の基準に基づいて、HSS/AAA 665は、識別されたUE 650がアクセスを許可されるか否かを示すメッセージ612を送信することになる。PDSN/HSGW/AWG 660は、次に、この情報のすべてまたは一部を含むメッセージ614をソースRAN/eNB/MME 655に送信することができる。ソースRAN/eNB/MME 655、PDSN/HSGW/AWG 660、またはHSS/AAA 665のうちの1つ、もしくはそれらの組合せを使用して、アクセス制限を実施することが可能であることを諒解されよう。
【００８８】
したがって、図6に示すメッセージ交換によって、いくつかの概念は上記の範囲を説明した。S101インターフェースを介してなど、メッセージ602aによってシステム間通信メッセージングが示される。デバイス識別子および/またはデバイスクラスの提供がメッセージ602bによって示される。サービスプロバイダのブロードキャストおよび選択は、それぞれ、メッセージ604および606によって示される。アクセス制限の実施は、メッセージ608〜614によって例示される。
【００８９】
図7は、図1のワイヤレス通信ネットワーク内で使用され得るワイヤレス通信の例示的な方法のプロセスフロー図を示す。図7に示す方法は、図3に示したようなアクセスポイントなど、通信デバイス302内で実施され得る。ブロック702で、ネットワークにアクセスするための第1の許可セットを含む第1のメッセージを送信する。各許可は、複数のデバイスクラスのうちの少なくとも1つに関連する。各許可は、各デバイスクラスに関する利用可能なアクセス技術と、各利用可能なアクセス技術に関するランダム化メトリックとを含む。ブロック704で、ネットワーク特性(たとえば、ネットワーク負荷、ネットワークに対する接続の数、負荷インジケータ、残りのリソースの割合、ユーザの割合に対するアクセス許可、デバイスクラスに対するアクセス許可、デバイスの1つまたは複数の識別子に対するアクセス許可、デバイスの分布に対するアクセス許可、ネットワークとの接続の数)またはワイヤレスデバイスに関連する情報(たとえば、加入、優先順位、クラス、機能、位置、サービス品質、アプリケーション識別子)のうちの少なくとも1つの変更を識別する。ブロック706で、ネットワークにアクセスするための第2のアクセス許可セットを生成する。この生成は、ネットワーク特性またはワイヤレスデバイス情報の識別された変更に基づく。アクセス許可は、たとえば、ネットワークにアクセスするために利用可能な無線アクセス技術を示すことができる。ブロック708で、ネットワークにアクセスするための第2の許可セットを含む第2のメッセージを送信する。
【００９０】
図8は、図1のワイヤレス通信ネットワーク内で使用され得る別の例示的なワイヤレス通信デバイスの機能的ブロック図を示す。例示的なワイヤレス通信デバイス800は上で説明した1つまたは複数の方法を実装するように構成され得る。ワイヤレス通信デバイス800は、アクセスポイントを包含し得る。
【００９１】
ワイヤレス通信デバイスは、図8に示される簡略化されたワイヤレス通信デバイス800よりも多くのコンポーネントを有し得ることを当業者は諒解されよう。図示するワイヤレス通信デバイス800は、いくつかの実装形態のいくつかの顕著な特徴を記述するために有用な構成要素のみを含む。ワイヤレス通信デバイス800は、送信回路802と、ネットワークシグナリング回路804と、アクセス許可生成器806とを含む。
【００９２】
いくつかの実装形態では、送信回路802は、各々がネットワークにアクセスするための許可セットを含む第1のメッセージと第2のメッセージとを送信するように構成され得る。送信回路802は、プロセッサ、送信機、アンテナ、およびメモリのうちの1つまたは複数を含み得る。いくつかの実装形態では、送信するための手段は、送信回路802を含み得る。
【００９３】
いくつかの実装形態では、ネットワークシグナリング回路804は、ネットワーク特性またはワイヤレスデバイスに関連する情報のうちの少なくとも1つの変更を識別するように構成され得る。ネットワークシグナリング回路804は、プロセッサ、送信機、ネットワークI/O、およびメモリのうちの1つまたは複数を含み得る。いくつかの実装形態では、ネットワーク特性またはワイヤレスデバイスに関連する情報のうちの少なくとも1つの変更を識別するための手段は、ネットワークシグナリング回路804を含み得る。
【００９４】
アクセス許可生成器806は、ネットワークにアクセスするためのアクセス許可セットを生成するように構成され得る。アクセス許可生成器806は、ネットワーク特性および/またはワイヤレスデバイスに関連する情報の識別された変更に基づいて、アクセス許可を生成するように構成され得る。アクセス許可生成器806は、メモリ、プロセッサ、ランダマイザー(randomizer)、ルックアップテーブル、およびクロックのうちの1つまたは複数を含み得る。いくつかの実装形態では、第2のアクセス許可セット生成するための手段は、アクセス許可生成器806を含み得る。
【００９５】
図9は、図1のワイヤレス通信ネットワーク内で使用され得るワイヤレス通信の別の例示的な方法のプロセスフロー図を示す。図9に示す方法は、図3に示したようなユーザ機器など、通信デバイス302内で実施され得る。ブロック902で、ワイヤレスデバイスに関するクラスと識別子とを記憶する。上で議論したように、デバイスクラスはいくつかの機構を介して取得され得る。いくつかの実装形態では、デバイスクラスはデバイス識別子(たとえば、IMSI/MEID/UATI)のハッシュであってよい。たとえば、IMSIは、一般に一意であるので、eHRPD内で使用されるIMSIは、LTE内で使用されるIMSIに基づくことができる。UATIを再割当てすることができるので、デバイスがあるANから別のANに移動するとき、UATIの使用はLTEとeHRPDとの間にピンポン状態をもたらす可能性がある。したがって、デバイス情報の一意性を保持するために、さらなる情報を含めることができる。デバイスクラスを取得するためのもう1つの方法はプロビジョニングによる。たとえば、加入情報に基づいて、デバイスを種々のグループ(プラチナ、ゴールド、シルバーなど)に分類することができる。加入の等級は、アクセス優先順位に対応することが可能であり、それによって、他のユーザと比較して、優先順位が高い数人のユーザに所与のサービスに進む選好を与えることができる。いくつかの実装形態では、加入のクラスはAAAによって保持される。そのような実装形態では、AAAは、加入情報をHSGW/PDSNに送信するように構成可能であり、次いで、HSGW/PDSNはその情報をeAN/RNCに提供する。加入のクラスはデバイスにおいて提供される(たとえば、USIM、SIMなど)。加入レベルはNAIまたはIMSIのいずれかに関連し得る。いくつかの実装形態では、(ANDSFなどを使用して)OTAPA/OMA-DMなど、遠隔プロビジョニングを使用して、クラス情報をデバイスに伝えることが望ましい場合がある。
【００９６】
いくつかの実装形態では、ネットワークレベルでピンポンを回避することが望ましい場合がある。たとえば、アクセス許可がある種のクラスのUEを第1のネットワークから第2のネットワークに送信している場合、第2のネットワークは、アクセス許可によって行使される選択を認識しているはずである。したがって、第2のネットワークは、第1のネットワークから転送されているUEを第1のネットワークに転送するはずがない。これは、UEがいずれかのネットワークにアクセスするのを妨げる場合がある。したがって、第1のネットワークはまた、アクセス許可を第2のネットワークに送信することができる。第2のネットワークは、次いで、アクセス許可によって識別されたデバイスのクラスに基づいて、デバイスからアクセス要求メッセージを処理することができる。たとえば、デバイスがアクセス許可内に含まれたワイヤレスデバイスのクラスに関連しないとき、第2のネットワークからのアクセス応答メッセージは、第1のネットワークと通信するようにデバイスに指示することができる。
【００９７】
ブロック904で、ネットワークにアクセスするための第1の許可セットを含む第1のメッセージを受信する。各許可は、複数のデバイスクラスのうちの少なくとも1つに関連する。各許可は、各デバイスクラスに関する利用可能なアクセス技術と、各利用可能なアクセス技術に関するランダム化メトリックとを含む。
【００９８】
ブロック906で、記憶されたクラスおよび識別子のうちの少なくとも1つに少なくとも一部基づいて、第1の許可セットの許可を識別する。たとえば、第1の許可セットを受信するUEは、記憶されたクラスおよび/または識別子情報を許可に関連するクラスおよび/または識別子と比較するように構成され得る。同じクラスおよび/または識別子値を有する許可は、UEに適用されるとして識別され得る。
【００９９】
ブロック908で、識別された許可に関連するアクセス技術を選択することができる。この選択は、各デバイスクラスに関する利用可能なアクセス技術と、各利用可能なアクセス技術に関するランダム化メトリックとに少なくとも一部基づくことができる。たとえば、所与のクラスに複数の許可を提供することができる。そのような状況では、複数のアクセス技術が利用可能であり得る。上で議論したようなランダム化メトリックを使用して利用可能なアクセス技術のうちの1つを選択することができる。
【０１００】
図10は、図1のワイヤレス通信ネットワーク内で使用され得る、さらなる例示的なワイヤレス通信デバイスの機能的ブロック図を示す。例示的なワイヤレス通信デバイス1000は上記で説明した方法のうちの1つまたは複数を実装するように構成され得る。ワイヤレス通信デバイス1000は、ユーザ機器を包含し得る。
【０１０１】
ワイヤレス通信デバイスは、図10に示される簡略化されたワイヤレス通信デバイス1000よりも多くの構成要素を有し得ることを、当業者は諒解されよう。図示するワイヤレス通信デバイス1000は、いくつかの実装形態のいくつかの顕著な特徴を記述するために有用な構成要素のみを含む。ワイヤレス通信デバイス1000は、デバイス情報回路1002と、受信機回路1004と、許可識別回路1006と、サービス選択回路1008とを含む。
【０１０２】
いくつかの実装形態では、デバイス情報回路1002は、デバイス1000に関するクラスおよび識別子を記憶するように構成され得る。デバイス情報回路1002は、プロセッサ、受信機、アンテナ、およびメモリのうちの1つまたは複数を含み得る。いくつかの実装形態では、記憶するための手段は、デバイス情報回路1002を含み得る。
【０１０３】
いくつかの実装形態では、受信機回路1004は、ネットワークにアクセスするための第1の許可セットを含む第1のメッセージを受信するように構成され得る。受信機回路1004は、プロセッサ、受信機、アンテナ、およびデジタル信号プロセッサのうちの1つまたは複数を含み得る。いくつかの実装形態では、受信するための手段は受信機回路1004を含み得る。
【０１０４】
許可識別回路1006は、記憶されたクラスおよび識別子のうちの少なくとも1つに一部基づいて、第1の許可セットの許可を識別するように構成される。許可識別回路1006は、比較器、プロセッサ、およびメモリのうちの1つまたは複数を含み得る。いくつかの実装形態では、許可を識別するための手段は、許可識別回路1006を含み得る。
【０１０５】
いくつかの実装形態では、サービス選択回路1008は、各デバイスクラスに関する利用可能なアクセス技術と、各利用可能なアクセス技術に関するランダム化メトリックとに少なくとも一部基づいて、識別された許可に関連するアクセス技術を選択するように構成され得る。サービス選択回路1008は、プロセッサ、比較器、メモリ、および送信機のうちの1つまたは複数を含み得る。いくつかの実装形態では、選択するための手段は、サービス選択回路1008を含み得る。
【０１０６】
上で説明されたようなネットワーク間サービス制御(たとえば、RAT間制御)を含む、いくつかの実装形態では、eHRPD/LTE UEをいくつかのデバイスクラスに分類することができる。各UEは関連するIMSI、MEID、またはUATIを有するクラスのうちの1つにマッピングされ得る。たとえば、M個のクラスが存在する場合、UEのマッピングクラスは、(IMSI、もしくはMEID、またはUATI)mod Mである。LTE負荷が重いときなど、状況によっては、eHRPD RANは、UEのいくつかのデバイスクラスを妨げて、SectorParameters/OtherRATNeighborListなど、オーバヘッドメッセージを介してLTEにアクセスするように構成され得る。HRPD負荷が重い状況に関して、逆を適用することも可能である。
【０１０７】
上で説明されたシステムおよび方法は、特定のネットワークサービスに対するアクセスに対していくつかの制御程度を実施するために使用され得る。たとえば、eHRPD RANが、全ユーザのうちのある割合がLTEにアクセスするのを妨げることを望むが、どの特定のユーザがLTEにアクセスするのを妨げても構わない場合、デバイスクラスを使用してアクセスを制約することができる。eHRPD RANが全ユーザのうちのある割合がLTEにアクセスするのを禁止することを望む場合、デバイス識別子を使用して、禁止されるユーザを明示的に識別することができる。さらに、状況によっては、デバイスクラスとデバイス識別子の両方を使用して、ネットワークサービスに対するアクセスを制御するためのハイブリッド機構を提供することができる。
【０１０８】
オーバヘッドメッセージを読み取った後で、UEのマッピングクラスがLTE禁止アクセスリスト内にある場合、UEはLTEに対するアクセスの試みを回避するように構成され得る。状況は経時的に変化する場合があり、したがって、UEはアクセスが許可されたことを示す後続のオーバヘッドメッセージを受信することが可能である。UEのマッピングクラスがLTE禁止リスト内にない場合、UEは、加入サービスレベル、信号強度など、他の局面に基づいて、LTEアクセスを許可するかどうかをさらに検査するように構成され得る。
【０１０９】
本明細書で使用される場合、「判断すること」という用語は、多種多様な動作を包含する。たとえば、「判断すること」は、計算すること、算出すること、処理すること、導出すること、調査すること、探索(たとえば、テーブル、データベース、または別のデータ構造を探索)すること、確認することなどを含み得る。また、「判断すること」は、受け取ること(たとえば、情報を受け取ること)、アクセスすること(たとえば、メモリ内のデータにアクセスすること)などを含み得る。また、「判断すること」は、解決すること、選択すること、選出すること、確立することなどを含み得る。さらに、本明細書で使用される場合、「チャネル幅」は、特定の態様では帯域幅を包含する場合があるか、または帯域幅と呼ばれる場合もある。
【０１１０】
本明細書で使用される場合、項目のリスト「のうちの少なくとも1つ」を指す語句は、単一のメンバを含む、それらの項目の任意の組合せを指す。一例として、「a、b、またはcのうちの少なくとも1つ」は、a、b、c、a-b、a-c、b-c、およびa-b-cをカバーすることを意図している。
【０１１１】
上で説明された方法の様々な動作は、様々なハードウェアおよび/またはソフトウェア構成要素、回路および/またはモジュールなど、動作を実行することができる任意の適切な手段によって実行することができる。概して、図面に示された任意の動作は、動作を実行することができる対応する機能的手段によって実行される可能性がある。
【０１１２】
本開示に関連して説明された種々の例示的な論理ブロック、モジュール、および回路は、汎用プロセッサ、デジタルシグナルプロセッサ(DSP)、特定用途向け集積回路(ASIC)、フィールドプログラマブルゲートアレイ信号(FPGA)もしくは他のプログラマブル論理デバイス(PLD)、個別ゲートもしくはトランジスタロジック、個別ハードウェア構成要素、または本明細書において説明された機能を実施するように設計されたそれらの任意の組合せで実現あるいは実行することができる。汎用プロセッサはマイクロプロセッサとすることができるが、代替形態では、プロセッサは、任意の市販のプロセッサ、コントローラ、マイクロコントローラ、または状態機械とすることができる。プロセッサはまた、コンピューティングデバイスの組合せ、たとえば、DSPとマイクロプロセッサとの組合せ、複数のマイクロプロセッサ、DSPコアと連携する1つもしくは複数のマイクロプロセッサ、または任意の他のそのような構成として実装され得る。
【０１１３】
1つまたは複数の態様では、説明された機能は、ハードウェア、ソフトウェア、ファームウェア、またはそれらの任意の組合せで実装され得る。ソフトウェアで実装される場合、機能は、1つもしくは複数の命令またはコードとしてコンピュータ可読媒体上に記憶され、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。例であって、限定はしないが、そのようなコンピュータ可読媒体は、RAM、ROM、EEPROM、CD-ROMもしくは他の光ディスク記憶装置、磁気ディスク記憶装置もしくは他の磁気記憶デバイス、または、命令もしくはデータ構造の形態の所望のプログラムコードを搬送あるいは記憶するために用いることができ、コンピュータによってアクセス可能である、任意の他の媒体を含むことができる。また、当然、あらゆる接続がコンピュータ可読媒体と呼ばれる。たとえば、ソフトウェアが、同軸ケーブル、光ファイバケーブル、ツイストペア、デジタル加入者回線(DSL)、もしくは赤外線、無線、およびマイクロ波などのワイヤレス技術を用いて、ウェブサイト、サーバ、または他のリモートソースから送信される場合には、同軸ケーブル、光ファイバケーブル、ツイストペア、DSL、または赤外線、無線、およびマイクロ波などのワイヤレス技術は、媒体の定義に含まれる。本明細書で使用される場合、ディスク(disk)およびディスク(disc)は、コンパクトディスク(CD)、レーザーディスク(登録商標)、光ディスク、デジタル多用途ディスク(DVD)、フロッピー(登録商標)ディスク、およびブルーレイディスクを含み、ディスク(disk)は、通常、磁気的にデータを再生し、ディスク(disc)は、レーザーで光学的にデータを再生する。したがって、いくつかの態様において、コンピュータ可読媒体は、非一時的コンピュータ可読媒体(たとえば、有形媒体)を含む場合がある。さらに、いくつかの態様において、コンピュータ可読媒体は、一時的コンピュータ可読媒体(たとえば、信号)を含む場合がある。上記の組合せもコンピュータ可読媒体の範囲内に含まれるべきである。
【０１１４】
本明細書で開示された方法は、説明された方法を達成するための1つもしくは複数のステップまたは動作を含む。方法のステップおよび/または動作は、特許請求の範囲から逸脱することなく、互いに交換され得る。言い換えると、ステップまたは動作の特定の順序が指定されていない限り、特定のステップならびに/または動作の順序および/もしくは使用は、特許請求の範囲から逸脱することなく修正され得る。
【０１１５】
説明された機能は、ハードウェア、ソフトウェア、ファームウェア、またはそれらの任意の組合せで実装され得る。ソフトウェアにおいて実装される場合には、それらの機能は、コンピュータ可読媒体上に1つまたは複数の命令として記憶することができる。記憶媒体は、コンピュータによってアクセスされ得る任意の利用可能な媒体であり得る。例であって、限定はしないが、そのようなコンピュータ可読媒体は、RAM、ROM、EEPROM、CD-ROMもしくは他の光ディスク記憶装置、磁気ディスク記憶装置もしくは他の磁気記憶デバイス、または、命令もしくはデータ構造の形態の所望のプログラムコードを搬送あるいは記憶するために用いることができ、コンピュータによってアクセス可能である、任意の他の媒体を含むことができる。本明細書で使用される場合、ディスク(disk)およびディスク(disc)は、コンパクトディスク(disc)(CD)、レーザーディスク(登録商標) (disc)、光ディスク(disc)、デジタル多用途ディスク(disc)(DVD)、フロッピー(登録商標)ディスク(disk)、およびブルーレイ(登録商標)ディスク(disc)を含み、ディスク(disk)は、通常、データを磁気的に再生し、ディスク(disc)は、データをレーザーで光学的に再生する。
【０１１６】
したがって、いくつかの態様は、本明細書で提示する動作を実行するためのコンピュータプログラム製品を備えてよい。たとえば、そのようなコンピュータプログラム製品は、本明細書で説明する動作を実施するために1つまたは複数のプロセッサによって実行可能な命令を記憶(および/またはエンコード)するコンピュータ可読媒体を含み得る。特定の態様の場合、コンピュータプログラム製品はパッケージング材料を含むことができる。
【０１１７】
ソフトウェアまたは命令はまた、伝送媒体を介して送信することもできる。たとえば、ソフトウェアが同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は伝送媒体の定義内に含まれる。
【０１１８】
さらに、本明細書において説明された方法および技法を実行するためのモジュールならびに/または他の適切な手段は、適用可能な場合、ユーザ端末および/もしくは基地局によってダウンロードすることができ、かつ/または他の方法で入手することができることを理解されたい。たとえば、そのようなデバイスは、本明細書において説明された方法を実行するための手段の転送を容易にするために、サーバに結合することができる。あるいは、本明細書で説明した様々な方法は、ユーザ端末および/または基地局が、記憶手段をデバイスに結合したすぐ後に、または提供したすぐ後に、様々な方法を取得することができるように、記憶手段(たとえば、RAM、ROM、コンパクトディスク(CD)またはフロッピー(登録商標)ディスクなどの物理的記憶媒体など)を介して提供され得る。その上、本明細書で説明された方法および技法をデバイスに与えるための任意の他の適切な技法が利用され得る。
【０１１９】
特許請求の範囲は、上で示された厳密な構成および構成要素に限定されないことを理解されたい。上で説明した方法および装置の構成、動作および詳細において、特許請求の範囲から逸脱することなく、様々な修正、変更および変形を行うことができる。
【０１２０】
上記の内容は本開示の態様に向けられてきたが、本開示の他の態様およびさらなる態様は、本開示の基本的な範囲から逸脱することなく考案することができ、本開示の範囲は、以下の特許請求の範囲によって決定される。
【符号の説明】
【０１２１】
100  ワイヤレス通信ネットワーク、ワイヤレス通信システム
102  基本サービスエリア(BSA)
104  アクセスポイント(AP)
104c  AP
104d  AP
106  局(STA)
106d  STA
200  システム
202  無線アクセスネットワーク(RAN)
204  RAN
206  UE
208a  eノードB
208b  eHRPDトランシーバ基地局(BTS)
210  サービスゲートウェイ(S-GW)
212  進化型アクセスノード(eAN)および進化型パケット制御機能(ePCF)エンティティ
214  HRPDサービングゲートウェイ(HSGW)
216  モビリティ管理エンティティ(MME)
218  パケットデータネットワーク(PDN)ゲートウェイ(GW)
230  ポリシーおよび課金規則機能(PCRF)
232  ホーム加入者サービス(HSS)エンティティ
234  3GPP認証、許可および課金(AAA)サーバ/プロキシ
236  3GPP AAAサーバ/プロキシ
302  ワイヤレスデバイス、デバイス
304  プロセッサ
306  メモリ
308  ハウジング
310  送信機
312  受信機
314  トランシーバ
316  アンテナ
318  信号検出器
320  デジタル信号プロセッサ(DSP)
322  ユーザインターフェース、インターフェース
324  ネットワーク入力/出力(I/O)モジュール
326  バスシステム
502  メッセージ識別フィールド
504  許可または拒否リストフィールド
506  含まれた全ATIグループフィールド
508  部分
510  グループATI最上位ビット共通値長フィールド
512  グループATI最上位ビット共通値フィールド
514  グループフィールド
516a  ATI最小位ビットフィールド
516b  ATI最小位ビットフィールド
516n  ATI最小位ビットフィールド
518  予約フィールド
602a  メッセージ
602b  メッセージ
604  メッセージ
606  メッセージ
608  メッセージ
610  メッセージ
612  メッセージ
614  メッセージ
650  ユーザ機器(UE)
655  ソースRAN/eNB/MME
660  PDSN/HSGW/AGW
665  HHS/AAA
670  ターゲットRAN/eNB/MME
800  ワイヤレス通信デバイス
802  送信回路
804  ネットワークシグナリング回路
806  アクセス許可生成器
1000  ワイヤレス通信デバイス、デバイス
1002  デバイス情報回路
1004  受信機回路
1006  許可識別回路
1008  サービス選択回路
【図１】
2015512224.tif 000003
【図２】
2015512224.tif 000004
【図３】
2015512224.tif 000005
【図４】
2015512224.tif 000006
【図５】
2015512224.tif 000007
【図６】
2015512224.tif 000008
【図７】
2015512224.tif 000009
【図８】
2015512224.tif 000010
【図９】
2015512224.tif 000011
【図１０】
2015512224.tif 000012
【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
ネットワーク通信を制御するための方法であって、
ネットワークにアクセスするための第1の許可セットを含む第1のメッセージを送信するステップと、
ネットワーク特性またはワイヤレスデバイスに関連する情報のうちの少なくとも1つの変更を識別するステップと、
ネットワーク特性またはワイヤレスデバイス情報の前記識別された変更に基づいて、前記ネットワークにアクセスするための第2のアクセス許可セットを生成するステップと、
前記ネットワークにアクセスするための前記第2の許可セットを含む第2のメッセージを送信するステップとを含み、
前記第1の許可セットおよび前記第2の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックの比較に基づいて、アクセス技術を選択するように構成されたランダム化メトリックとを含む
方法。
【請求項２】
前記ネットワーク特性が、ネットワーク負荷、ネットワーク周波数負荷、前記ネットワークに対する接続の数、前記ネットワークの周波数に対する接続の数、負荷インジケータ、残りのリソースの割合、ユーザの割合に対するアクセス許可、デバイスクラスに対するアクセス許可、デバイスの1つまたは複数の識別子に対するアクセス許可、デバイスの分布に対するアクセス許可、および前記ネットワークとの接続の数のうちの1つまたは複数を含む、請求項1に記載の方法。
【請求項３】
前記ワイヤレスデバイスに関連する前記情報が、前記デバイスに関するクラス、前記デバイスの機能、前記デバイスの位置、アクセス優先順位レベル、サービス品質要件、およびアプリケーション識別子のうちの1つまたは複数を含む、請求項1に記載の方法。
【請求項４】
前記ネットワークに対するアクセス許可が、前記ネットワークにアクセスするための無線アクセス技術を含む、請求項1に記載の方法。
【請求項５】
前記無線アクセス技術が、ロングタームエボリューションベースのアクセス、拡張高速データパケットベースのアクセス、およびcdma2000スペクトル拡散システムアクセスのうちの少なくとも1つを含む、請求項4に記載の方法。
【請求項６】
前記第1の許可セットまたは前記第2の許可セットの許可が特定のワイヤレスデバイスに関する識別子を含む、請求項1に記載の方法。
【請求項７】
前記ワイヤレスデバイスから登録要求を受信するステップであって、前記登録要求が前記ワイヤレスデバイスに関する識別子を含む、受信するステップと、
前記受信された識別子に少なくとも一部基づいて、前記ワイヤレスデバイスに関するデバイスクラスを判断するステップと、
前記ワイヤレスデバイスに関する前記デバイスクラスを含むメッセージを送信するステップと
を含む、請求項1に記載の方法。
【請求項８】
前記ワイヤレスデバイスに関する前記識別子が、IMSI、MEID、およびUATIのうちの1つまたは複数を含む、請求項7に記載の方法。
【請求項９】
前記ワイヤレスデバイスに関する識別子を含むアクセス要求を受信するステップと、
前記ワイヤレスデバイス用の前記ネットワークに対するアクセス許可を判断するステップと
を含む、請求項1に記載の方法。
【請求項１０】
前記ワイヤレスデバイス用の前記ネットワークに対するアクセス許可を前記判断するステップが、前記ワイヤレスデバイスに関する前記識別子または前記ワイヤレスデバイスに関連するデバイスクラスをアクセスが許可されたデバイスを示すリストと比較するステップを含む、請求項9に記載の方法。
【請求項１１】
前記第1のメッセージおよび前記第2のメッセージを前記送信するステップが、ユニキャスティング、マルチキャスティング、およびブロードキャスティングのうちの少なくとも1つを含む、請求項1に記載の方法。
【請求項１２】
前記ランダム化メトリックが、選択確率、選択しきい値、および選択範囲のうちの1つを含む、請求項1に記載の方法。
【請求項１３】
別のネットワークから、前記別のネットワークに関する第3のアクセス許可セットを含むメッセージを受信するステップと、
前記第3のアクセス許可セット内に含まれたデバイスのクラス内に含まれたアクセス要求をワイヤレスデバイスから受信するステップと、
前記メッセージと前記アクセス要求の比較に少なくとも一部基づいて、アクセス応答メッセージを送信するステップと
をさらに含む、請求項1に記載の方法。
【請求項１４】
前記アクセス応答メッセージを前記送信するステップが、前記ワイヤレスデバイスがアクセス許可内に含まれたワイヤレスデバイスのクラスに関連しないとき、第1のネットワークと通信するように前記ワイヤレスデバイスに指示するためのメッセージを前記ワイヤレスデバイスに送信するステップを含み、
前記アクセス応答メッセージを前記送信するステップが、第2のネットワークに対する成功裏のアクセスを示すメッセージを前記ワイヤレスデバイスに送信するステップを含む
請求項13に記載の方法。
【請求項１５】
ネットワーク通信を制御するための装置であって、
ネットワークにアクセスするための第1の許可セットを示す第1のメッセージを送信するように構成された送信機と、
ネットワーク特性またはワイヤレスデバイスに関連する情報のうちの少なくとも1つの変更を識別することと、ネットワーク特性またはワイヤレスデバイス情報の前記識別された変更に基づいて、前記ネットワークにアクセスするための第2のアクセス許可セットを生成することとを行うように構成されたプロセッサと
を備え、
前記送信機がさらに、前記ネットワークにアクセスするための前記第2の許可セットを含む第2のメッセージを送信するように構成され、
前記第1の許可セットおよび前記第2の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックの比較に基づいて、アクセス技術を選択するように構成されたランダム化メトリックとを含む
装置。
【請求項１６】
前記ネットワーク特性が、ネットワーク負荷、ネットワーク周波数負荷、前記ネットワークに対する接続の数、前記ネットワークの周波数に対する接続の数、負荷インジケータ、残りのリソースの割合、ユーザの割合に対するアクセス許可、デバイスクラスに対するアクセス許可、デバイスの1つまたは複数の識別子に対するアクセス許可、デバイスの分布に対するアクセス許可、および前記ネットワークとの接続の数のうちの1つまたは複数を含む、請求項15に記載の装置。
【請求項１７】
前記ワイヤレスデバイスに関連する前記情報が、前記デバイスに関するクラス、前記デバイスの機能、前記デバイスの位置、アクセス優先順位レベル、サービス品質要件、およびアプリケーション識別子のうちの1つまたは複数を含む、請求項15に記載の装置。
【請求項１８】
前記ネットワークに対するアクセス許可が、前記ネットワークにアクセスするための無線アクセス技術を含む、請求項15に記載の装置。
【請求項１９】
前記無線アクセス技術が、ロングタームエボリューションベースのアクセス、拡張高速データパケットベースのアクセス、およびcdma2000スペクトル拡散システムアクセスのうちの少なくとも1つを含む、請求項18に記載の装置。
【請求項２０】
前記第1の許可セットまたは前記第2の許可セットの許可が特定のワイヤレスデバイスに関する識別子を含む、請求項15に記載の装置。
【請求項２１】
受信機がさらに、前記ワイヤレスデバイスから登録要求を受信することであって、前記登録要求が前記ワイヤレスデバイスに関する識別子を含む、受信することを行うように構成され、
前記プロセッサがさらに、前記受信された識別子に少なくとも一部基づいて、前記ワイヤレスデバイスに関するデバイスクラスを判断するように構成され、
前記送信機がさらに前記ワイヤレスデバイスに関する前記デバイスクラスを含むメッセージを送信するように構成される
請求項15に記載の装置。
【請求項２２】
前記ワイヤレスデバイスに関する前記識別子が、IMSI、MEID、およびUATIのうちの1つまたは複数を含む、請求項21に記載の装置。
【請求項２３】
受信機がさらに、前記ワイヤレスデバイスに関する識別子を含むアクセス要求を受信するように構成され、
前記プロセッサがさらに、前記ワイヤレスデバイス用の前記ネットワークに対するアクセス許可を判断するように構成される
請求項15に記載の装置。
【請求項２４】
前記ワイヤレスデバイス用の前記ネットワークに対するアクセス許可を前記判断することが、前記ワイヤレスデバイスに関する前記識別子または前記ワイヤレスデバイスに関連するデバイスクラスをアクセスが許可されたデバイスを示すリストと比較することを含む、請求項23に記載の装置。
【請求項２５】
前記送信機が、ユニキャスティング、マルチキャスティング、およびブロードキャスティングのうちの少なくとも1つを介して、前記第1のメッセージと前記第2のメッセージとを送信するように構成される、請求項15に記載の装置。
【請求項２６】
前記ランダム化メトリックが、選択確率、選択しきい値、および選択範囲のうちの1つを含む、請求項15に記載の装置。
【請求項２７】
受信機が、別のネットワークから、前記別のネットワークに関する第3のアクセス許可セットを含むメッセージを受信することと、前記第3のアクセス許可セット内に含まれた前記デバイスクラス内に含まれたアクセス要求をワイヤレスデバイスから受信することとを行うように構成され、
前記送信機が、前記メッセージと前記アクセス要求の比較に少なくとも一部基づいて、アクセス応答メッセージを送信するようにさらに構成される
請求項15に記載の装置。
【請求項２８】
前記送信機が、前記ワイヤレスデバイスがアクセス許可内に含まれたワイヤレスデバイスのクラスに関連しないとき、第1のネットワークと通信するように前記ワイヤレスデバイスに指示するためのメッセージを前記ワイヤレスデバイスに送信するように構成され、
前記アクセス応答メッセージを前記送信することが、第2のネットワークに対する成功裏のアクセスを示すメッセージを前記ワイヤレスデバイスに送信することを含む
請求項27に記載の装置。
【請求項２９】
装置のプロセッサによって実行可能な命令を含むコンピュータ可読記憶媒体であって、前記命令によって、前記装置は、
ネットワークにアクセスするための第1の許可セットを含む第1のメッセージを送信することと、
ネットワーク特性またはワイヤレスデバイスに関連する情報のうちの少なくとも1つの変更を識別することと、
ネットワーク特性またはワイヤレスデバイス情報の前記識別された変更に基づいて、前記ネットワークにアクセスするための第2のアクセス許可セットを生成することと、
前記ネットワークにアクセスするための前記第2の許可セットを含む第2のメッセージを送信することとを行い、
前記第1の許可セットおよび前記第2の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックの比較に基づいて、アクセス技術を選択するように構成されたランダム化メトリックとを含む
装置。
【請求項３０】
ネットワーク通信を制御するための装置であって、
ネットワークにアクセスするための第1の許可セットを含む第1のメッセージを送信するための手段と、
ネットワーク特性またはワイヤレスデバイスに関連する情報のうちの少なくとも1つの変更を識別するための手段と、
ネットワーク特性またはワイヤレスデバイス情報の前記識別された変更に基づいて、前記ネットワークにアクセスするための第2のアクセス許可セットを生成するための手段と
を備え、
前記送信するための手段がさらに、前記ネットワークにアクセスするための前記第2の許可セットを含む第2のメッセージを送信するように構成され、
前記第1の許可セットおよび前記第2の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックの比較に基づいて、アクセス技術を選択するように構成されたランダム化メトリックとを含む
装置。
【請求項３１】
通信ネットワークアクセスを選択するための方法であって、
ワイヤレスデバイスにおいて、前記ワイヤレスデバイスのクラスと識別子とを記憶するステップと、
ネットワークにアクセスするための第1の許可セットを含む第1のメッセージを受信するステップであって、前記第1の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックの比較に基づいて、アクセス技術を選択するように構成されたランダム化メトリックとを含む、受信するステップと、
前記記憶されたクラスおよび識別子のうちの少なくとも1つに一部基づいて、前記第1の許可セットの許可を識別するステップと、
各デバイスクラスに関する前記利用可能なアクセス技術と、各利用可能なアクセス技術に関する前記ランダム化メトリックとに少なくとも一部基づいて、前記識別された許可に関連するアクセス技術を選択するステップと
を含む方法。
【請求項３２】
前記ネットワークに関する第2のアクセス許可セットを含む第2のメッセージを受信するステップを含み、アクセス技術を前記選択するステップが、前記受信された第2のメッセージに少なくとも一部基づく、請求項31に記載の方法。
【請求項３３】
前記アクセス技術が、ロングタームエボリューションベースのアクセス、拡張高速データパケットベースのアクセス、およびcdma2000スペクトル拡散システムアクセスのうちの少なくとも1つを含む、請求項31に記載の方法。
【請求項３４】
前記ワイヤレスデバイスに関する前記デバイスクラスおよび前記識別子のうちの少なくとも1つが、アクセス優先順位レベルに関連し、前記アクセス技術を前記選択するステップがさらに、前記アクセス優先順位レベルに基づく、請求項31に記載の方法。
【請求項３５】
前記デバイスクラスを前記記憶するステップが、
前記デバイスクラスを含むメッセージを受信するステップと、
前記デバイスクラスを記憶するステップと
を含む、請求項31に記載の方法。
【請求項３６】
前記ワイヤレスデバイスに関する前記識別子が、IMSI、MEID、およびUATIのうちの1つまたは複数を含む、請求項31に記載の方法。
【請求項３７】
前記ランダム化メトリックが、選択確率、選択しきい値、および選択範囲のうちの1つを含む、請求項31に記載の方法。
【請求項３８】
前記アクセス技術を前記選択するステップが、
ランダム値を生成するステップと、
前記ランダム値と前記ランダム化メトリックの比較に基づいて、前記アクセス技術を選択するステップと
を含む、請求項31に記載の方法。
【請求項３９】
通信ネットワークを選択するための装置であって、
前記装置に関するクラスと識別子とを記憶するメモリと、
ネットワークにアクセスするための第1の許可セットを含む第1のメッセージを受信することであって、前記第1の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックの比較に基づいて、アクセス技術を選択するように構成されたランダム化メトリックとを含む、受信することを行うように構成された受信機と、
前記記憶されたデバイスクラスおよび前記記憶された識別子のうちの少なくとも1つに一部基づいて、前記第1の許可セットの許可を識別することと、各デバイスクラスに関する利用可能なアクセス技術と、各利用可能なアクセス技術に関するランダム化メトリックとに少なくとも一部基づいて、前記識別された許可に関連するアクセス技術を選択することとを行うように構成されたサービス選択回路と
を備える装置。
【請求項４０】
前記受信機が、
前記識別子および前記クラスのうちの少なくとも1つを受信することと、
前記識別子および前記クラスのうちの前記受信された少なくとも1つを前記メモリ内に記憶することと
を行うように構成される、請求項39に記載の装置。
【請求項４１】
前記識別子が、IMSI、MEID、およびUATIのうちの1つまたは複数を含む、請求項39に記載の装置。
【請求項４２】
前記第1のメッセージが、前記装置に関するデバイスクラスと識別子とを含む、請求項39に記載の装置。
【請求項４３】
前記装置に関する前記識別子が、IMSI、MEID、およびUATIのうちの1つまたは複数を含む、請求項42に記載の装置。
【請求項４４】
前記受信機がさらに、前記ネットワークに関する第2のアクセス許可セットを含む第2のメッセージを受信するように構成され、アクセス技術を前記選択することが、前記受信された第2のメッセージに少なくとも一部基づく、請求項39に記載の装置。
【請求項４５】
前記ネットワークに対するアクセス許可が、前記ネットワークにアクセスするための無線アクセス技術を含む、請求項39に記載の装置。
【請求項４６】
前記無線アクセス技術が、ロングタームエボリューションベースのアクセス、拡張高速データパケットベースのアクセス、およびcdma2000スペクトル拡散システムアクセスのうちの少なくとも1つを含む、請求項45に記載の装置。
【請求項４７】
デバイスクラスおよび識別子のうちの少なくとも1つが、アクセス優先順位レベルに関連し、アクセス選択回路がさらに、前記アクセス優先順位レベルに基づいて前記アクセス技術を選択するように構成される、請求項39に記載の装置。
【請求項４８】
前記ランダム化メトリックが、選択確率、選択しきい値、および選択範囲のうちの1つを含む、請求項39に記載の装置。
【請求項４９】
ランダム化値生成器をさらに含み、前記サービス選択回路が、前記ランダム化値生成器によって生成された値と前記ランダム化メトリックの比較に基づいて、前記アクセス技術を選択するように構成される、請求項39に記載の装置。
【請求項５０】
装置のプロセッサによって実行可能な命令を含むコンピュータ可読記憶媒体であって、前記命令によって、前記装置は、
前記装置に関するクラスと識別子とを記憶することと、
ネットワークにアクセスするための第1の許可セットを含む第1のメッセージを受信することであって、前記第1の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックの比較に基づいて、アクセス技術を選択するように構成されたランダム化メトリックとを含む、受信することと、
前記記憶されたクラスおよび前記記憶された識別子のうちの少なくとも1つに一部基づいて、前記第1の許可セットの許可を識別することと、
各デバイスクラスに関する前記利用可能なアクセス技術と、各利用可能なアクセス技術に関する前記ランダム化メトリックとに少なくとも一部基づいて、前記識別された許可に関連するアクセス技術を選択することと
を行うコンピュータ可読記憶媒体。
【請求項５１】
通信ネットワークアクセスを選択するための装置であって、
前記装置に関するクラスと識別子とを記憶するための手段と、
ネットワークにアクセスするための第1の許可セットを含む第1のメッセージを受信するための手段であって、前記第1の許可セットの各許可が、複数のデバイスクラスのうちの少なくとも1つに関連し、各デバイスクラスに関する利用可能なアクセス技術と、ランダム値と各利用可能なアクセス技術に関するランダム化メトリックの比較に基づいて、アクセス技術を選択するように構成されたランダム化メトリックとを含む、受信するための手段と、
前記記憶されたデバイスクラスおよび前記記憶された識別子のうちの少なくとも1つに一部基づいて、前記第1の許可セットの許可を識別するための手段と、
各デバイスクラスに関する前記利用可能なアクセス技術と、各利用可能なアクセス技術に関する前記ランダム化メトリックとに少なくとも一部基づいて、前記識別された許可に関連するアクセス技術を選択するための手段と
を備える装置。
【国際調査報告】
2015512224.tif 000013
2015512224.tif 000014
2015512224.tif 000015